(57)【特許請求の範囲】
【請求項１】
制御部と記憶部と表示部とを少なくとも備えたＢＩＭシステムであって、
前記記憶部は、
建築物のＢＩＭモデルを記憶するＢＩＭモデル記憶手段と、
前記ＢＩＭモデルに組込可能な昇降機のＢＩＭパーツを作成するためのパーツ情報を記憶するパーツ情報記憶手段と、
を備え、
前記制御部は、
入力される作成条件に対応する前記ＢＩＭパーツを、前記パーツ情報記憶手段に記憶された前記パーツ情報を用いて作成する昇降機モデリング手段と、
前記ＢＩＭモデル記憶手段に記憶された前記ＢＩＭモデルに含まれる建築物に関する建物情報と、前記昇降機モデリング手段が作成した前記ＢＩＭパーツとに基づいて、前記ＢＩＭモデルが表す建築物と前記ＢＩＭパーツが表す昇降機との間に介在する支持部材を選定する選定手段と、
前記昇降機モデリング手段により作成された前記ＢＩＭパーツが表す昇降機を前記ＢＩＭモデルが表す建築物に組み込んだ状態で、前記選定手段により選定された前記支持部材の選定結果を前記表示部に表示させる画面表示手段と、
を備えたことを特徴とする、
ＢＩＭシステム。
【請求項２】
前記制御部は、
前記ＢＩＭモデル記憶手段に記憶された前記ＢＩＭモデルに含まれる建築物に関する建物情報と、前記昇降機モデリング手段が作成した前記ＢＩＭパーツとに基づいて、前記ＢＩＭモデルが表す建築物と前記ＢＩＭパーツが表す昇降機との部品間の距離を算出する距離算出手段、
を備え、
前記選定手段は、
前記距離算出手段により算出された前記距離に基づいて、前記支持部材を選定する、
請求項１に記載のＢＩＭシステム。
【請求項３】
前記制御部は、
前記ＢＩＭモデル記憶手段に記憶された前記ＢＩＭモデルに含まれる建築物に関する建物情報と、前記昇降機モデリング手段が作成した前記ＢＩＭパーツとに基づいて、前記ＢＩＭモデルが表す建築物と前記ＢＩＭパーツが表す昇降機との部品間の干渉部位を検出する干渉検出手段、
を備え、
前記選定手段は、
前記干渉検出手段により検出された前記干渉部位に基づいて、前記支持部材を選定する、
請求項１又は請求項２に記載のＢＩＭシステム。
【請求項４】
前記制御部は、
前記ＢＩＭモデル記憶手段に記憶された前記ＢＩＭモデルに含まれる建築物に関する建物情報と、前記昇降機モデリング手段が作成した前記ＢＩＭパーツとに基づいて、前記ＢＩＭパーツが表す昇降機から前記支持部材に作用する荷重に対する当該支持部材の強度シミュレーションを実行する強度シミュレーション手段、
を備え、
前記選定手段は、
前記強度シミュレーション手段により実行された前記支持部材の強度シミュレーションの結果に基づいて、前記支持部材を選定する、
請求項１乃至請求項３のいずれか１項に記載のＢＩＭシステム。
【請求項５】
前記制御部は、
前記選定手段により選定された前記支持部材の見積計算を行う見積手段と、
前記選定手段により選定された前記支持部材の発注を行う発注手段と、
を備える、
請求項１乃至請求項４のいずれか１項に記載のＢＩＭシステム。
【請求項６】
前記制御部は、
前記ＢＩＭモデル記憶手段に記憶された前記ＢＩＭモデルに含まれる建築物に関する建物情報と、前記昇降機モデリング手段が作成した前記ＢＩＭパーツと、前記選定手段が選定した前記支持部材の選定結果とに基づいて、前記ＢＩＭモデルが表す建築物側で必要とされる必要部材に関する必要部材シミュレーションを実行する必要部材シミュレーション手段、
を備え、
前記画面表示手段は、
前記昇降機モデリング手段により作成された前記ＢＩＭパーツが表す昇降機を前記ＢＩＭモデルが表す建築物に組み込んだ状態で、前記必要部材シミュレーション手段により実行された前記必要部材に関する必要部材シミュレーションの結果を前記表示部に表示させる、
請求項１乃至請求項５のいずれか１項に記載のＢＩＭシステム。
【請求項７】
制御部と記憶部とを少なくとも備えたサーバ装置、及び、制御部と表示部とを少なくとも備えた端末装置、を通信可能に接続したＢＩＭシステムであって、
前記サーバ装置の前記記憶部は、
建築物のＢＩＭモデルに組込可能な昇降機のＢＩＭパーツを作成するためのパーツ情報を記憶するパーツ情報記憶手段、
を備え、
前記サーバ装置の前記制御部は、
前記端末装置から送信される作成条件に対応する前記ＢＩＭパーツを、前記パーツ情報記憶手段に記憶された前記パーツ情報を用いて作成する昇降機モデリング手段と、
前記ＢＩＭモデルに含まれる建築物に関する建物情報と、前記昇降機モデリング手段が作成した前記ＢＩＭパーツとに基づいて、前記ＢＩＭモデルが表す建築物と前記ＢＩＭパーツが表す昇降機との間に介在する支持部材を選定する選定手段と、
前記昇降機モデリング手段により作成された前記ＢＩＭパーツと、前記選定手段により選定された前記支持部材の選定結果とを前記端末装置へ送信する情報提供手段と、
を備え、
前記端末装置の前記制御部は、
前記情報提供手段により前記サーバ装置から送信された前記ＢＩＭパーツが表す昇降機を前記ＢＩＭモデルが表す建築物に組み込んだ状態で、前記情報提供手段により前記サーバ装置から送信された前記支持部材の選定結果を前記表示部に表示させる画面表示手段、
を備えることを特徴とするＢＩＭシステム。
【請求項８】
制御部と記憶部と表示部とを少なくとも備えたＢＩＭシステムにおいて実行される方法であって、
前記記憶部は、
建築物のＢＩＭモデルを記憶するＢＩＭモデル記憶手段と、
前記ＢＩＭモデルに組込可能な昇降機のＢＩＭパーツを作成するためのパーツ情報を記憶するパーツ情報記憶手段と、
を備え、
前記制御部において実行される、
入力される作成条件に対応する前記ＢＩＭパーツを、前記パーツ情報記憶手段に記憶された前記パーツ情報を用いて作成する昇降機モデリングステップと、
前記ＢＩＭモデル記憶手段に記憶された前記ＢＩＭモデルに含まれる建築物に関する建物情報と、前記昇降機モデリングステップにて作成された前記ＢＩＭパーツとに基づいて、前記ＢＩＭモデルが表す建築物と前記ＢＩＭパーツが表す昇降機との間に介在する支持部材を選定する選定ステップと、
前記昇降機モデリングステップにて作成された前記ＢＩＭパーツが表す昇降機を前記ＢＩＭモデルが表す建築物に組み込んだ状態で、前記選定ステップにて選定された前記支持部材の選定結果を前記表示部に表示させる画面表示ステップと、
を含むことを特徴とする方法。
【請求項９】
制御部と記憶部と表示部とを少なくとも備えたＢＩＭシステムに実行させるためのプログラムであって、
前記記憶部は、
建築物のＢＩＭモデルを記憶するＢＩＭモデル記憶手段と、
前記ＢＩＭモデルに組込可能な昇降機のＢＩＭパーツを作成するためのパーツ情報を記憶するパーツ情報記憶手段と、
を備え、
前記制御部において、
入力される作成条件に対応する前記ＢＩＭパーツを、前記パーツ情報記憶手段に記憶された前記パーツ情報を用いて作成する昇降機モデリングステップと、
前記ＢＩＭモデル記憶手段に記憶された前記ＢＩＭモデルに含まれる建築物に関する建物情報と、前記昇降機モデリングステップにて作成された前記ＢＩＭパーツとに基づいて、前記ＢＩＭモデルが表す建築物と前記ＢＩＭパーツが表す昇降機との間に介在する支持部材を選定する選定ステップと、
前記昇降機モデリングステップにて作成された前記ＢＩＭパーツが表す昇降機を前記ＢＩＭモデルが表す建築物に組み込んだ状態で、前記選定ステップにて選定された前記支持部材の選定結果を前記表示部に表示させる画面表示ステップと、
を実行させることを特徴とするプログラム。
【発明の詳細な説明】
【技術分野】
【０００１】
本発明の実施形態は、ＢＩＭシステム、方法及びプログラムに関する。
【背景技術】
【０００２】
従来、昇降機メーカの担当者は、昇降機を備える建築物を設計する客先に対して、平面図や断面図等の二次元図面及びカタログや納入実績等の写真を使用して、昇降機の設備計画を提案していた。そこで、近年、昇降機の設備計画を提案する際、建築物に昇降機を組み込んだ状態を視覚的に分かりやすく表示する技術が求められていた。
【先行技術文献】
【特許文献】
【０００３】
【特許文献１】特開２００５−１６２３９３号公報
【発明の概要】
【発明が解決しようとする課題】
【０００４】
本実施形態が解決しようとする課題は、昇降機の設備計画を提案する際、提案する昇降機を視覚的に分かりやすく表示することができるＢＩＭシステム、方法及びプログラムを提供することである。
【課題を解決するための手段】
【０００５】
実施形態のＢＩＭシステムは、制御部と記憶部と表示部とを少なくとも備えたＢＩＭシステムである。前記記憶部は、ＢＩＭモデル記憶手段と、パーツ情報記憶手段と、を備える。ＢＩＭモデル記憶手段は、建築物のＢＩＭモデルを記憶する。パーツ情報記憶手段は、前記ＢＩＭモデルに組込可能な昇降機のＢＩＭパーツを作成するためのパーツ情報を記憶する。前記制御部は、昇降機モデリング手段と、選定手段と、画面表示手段と、を備える。昇降機モデリング手段は、入力される作成条件に対応する前記ＢＩＭパーツを、前記パーツ情報記憶手段に記憶された前記パーツ情報を用いて作成する。選定手段は、前記ＢＩＭモデル記憶手段に記憶された前記ＢＩＭモデルに含まれる建築物に関する建物情報と、前記昇降機モデリング手段が作成した前記ＢＩＭパーツとに基づいて、前記ＢＩＭモデルが表す建築物と前記ＢＩＭパーツが表す昇降機との間に介在する支持部材を選定する。画面表示手段は、前記昇降機モデリング手段により作成された前記ＢＩＭパーツが表す昇降機を前記ＢＩＭモデルが表す建築物に組み込んだ状態で、前記選定手段により選定された前記支持部材の選定結果を前記表示部に表示させる。
【図面の簡単な説明】
【０００６】
【図１】図１は、建築物の設計図書及びＢＩＭモデルの一例を示す概念図である。
【図２】図２は、第１の実施形態におけるＢＩＭシステムの構成の一例を示すブロック図である。
【図３】図３は、昇降機のＢＩＭパーツの一例を示す図である。
【図４】図４は、ＢＩＭモデルにＢＩＭパーツを組み込んだ統合ＢＩＭモデルを含むレイアウト画面の一例を示す図である。
【図５】図５は、ＢＩＭモデルにＢＩＭパーツを組み込んだ統合ＢＩＭモデルを含むレイアウト画面の一例を示す図である。
【図６】図６は、選定結果を含むレイアウト画面の一例を示す図である。
【図７】図７は、第１の実施形態における基本処理の一例を示すフローチャートである。
【図８】図８は、第２の実施形態におけるＢＩＭシステムの構成の一例を示すブロック図である。
【図９】図９は、第２の実施形態における基本処理の一例を示すフローチャートである。
【図１０】図１０は、第３の実施形態におけるＢＩＭ装置の構成の一例を示すブロック図である。
【図１１】図１１は、第３の実施形態における基本処理の一例を示すフローチャートである。
【発明を実施するための形態】
【０００７】
以下に、実施形態にかかるＢＩＭシステム、サーバ装置、端末装置、方法及びプログラムの実施の形態を図面に基づいて詳細に説明する。なお、この実施の形態によりこの発明が限定されるものではない。
【０００８】
ここで、図１を参照して、実施形態において利用されるＢＩＭ（ビルディングインフォーメーションモデル）の概要について説明する。図１は、建築物の設計図書及びＢＩＭモデルの一例を示す概念図である。図１では、建築物の設計図書による設計方法とＢＩＭによる設計方法との違いを表している。図１の左側に示すように、建築物の設計図書による設計方法では、建築物の設計に関わる各業種が個々に専門図面を作成しているため、各々が関連性及び整合性を各々とる必要がある。つまり、建築物の設計図書による設計方法では、例えば関連する設計図書の修正が必要となり、また、その整合性のチェックも必要となる。一方、図１の右側に示すＢＩＭによる設計方法では、各業種にて建物全体データである建築物の３次元モデル（すなわち、建築物のＢＩＭモデル）を共有することができるので、１個のデータ上で関連性及び整合性の確認を行うことができる。以下の実施形態では、このＢＩＭを使用した昇降機客先提案システムについて説明する。
【０００９】
以下、実施形態の構成及び処理について、第１の実施形態、第２の実施形態、第３の実施形態の順にて詳細に説明する。
【００１０】
［第１の実施形態］
最初に、第１の実施形態について、図２乃至図７を参照して以下に説明する。なお、第１の実施形態で例示するＢＩＭシステムにおけるサーバ側と端末側の機能分散の形態は以下に限られず、同様の効果や機能を奏し得る範囲において、任意の単位で機能的または物理的に分散・統合して構成することができる。
【００１１】
［ＢＩＭシステム１０の構成］
まず、第１の実施形態におけるＢＩＭシステムの構成の一例について、図２を参照して以下に説明する。図２は、第１の実施形態におけるＢＩＭシステムの構成の一例を示すブロック図であり、該構成のうち主要な部分を概念的に示している。なお、本実施形態においては、通信型のＢＩＭシステムを具体例として説明するが、これに限ることなく、スタンドアロン型のＢＩＭシステムなどにも適用可能である。
【００１２】
図２に示すように、第１の実施形態のＢＩＭシステム１０は、概略的に、昇降機の３次元モデル（すなわち、昇降機のＢＩＭパーツ）等の情報を提供できるサーバ装置２００、及び、単数または複数のＢＩＭアプリケーション等を搭載した端末装置１００、を通信可能に接続して構成される。ここで、図２に示すように、通信には、一例として、ネットワーク３００を介した有線・無線通信等の遠隔通信等を含む。また、これらＢＩＭシステム１０の各部は任意の通信路を介して通信可能に接続されている。
【００１３】
図２に示すように、第１の実施形態のＢＩＭシステム１０において、サーバ装置２００は、概略的に、制御部２０２と記憶部２０６とを少なくとも備えている。端末装置１００は、出力部（表示部１１４及び音声出力部１１６）と入力部１１８と制御部１０２と記憶部１０６とを少なくとも備える。
【００１４】
［サーバ装置２００の構成］
ここで、図２において、サーバ装置２００は、端末装置１００から送信される作成条件に対応する昇降機のＢＩＭパーツを、記憶部２０６に記憶されたパーツ情報を用いて作成する機能を有する。そして、サーバ装置２００は、ＢＩＭモデルに含まれる建築物に関する建物情報と、ＢＩＭパーツとに基づいて、ＢＩＭモデルが表す建築物とＢＩＭパーツが表す昇降機との間に介在する支持部材を選定する機能を有する。さらに、サーバ装置２００は、選定された支持部材の見積計算を行う機能を有する。さらに、サーバ装置２００は、ＢＩＭモデルに含まれる建築物に関する建物情報と、ＢＩＭパーツと、支持部材の選定結果とに基づいて、ＢＩＭモデルが表す建築物側で必要とされる必要部材に関する必要部材シミュレーションを実行する機能を有する。そして、サーバ装置２００は、作成されたＢＩＭパーツ、選定された支持部材に関する情報、支持部材の見積計算に関する情報、必要部材に関する必要部材シミュレーションの結果等を端末装置１００へ送信する機能を有する。これにより、サーバ装置２００は、端末装置１００において、ＢＩＭパーツをＢＩＭモデルに組み込んだ状態で、選定された支持部材に関する情報、支持部材の見積計算に関する情報、必要部材に関する必要部材シミュレーションの結果等を表示部１１４に表示させる機能を有する。
【００１５】
サーバ装置２００は、通信制御インターフェース部２０４を介してネットワーク３００を経由し、端末装置１００と相互に通信可能に接続されており、制御部２０２と記憶部２０６とを備える。制御部２０２は、各種処理を行う制御手段である。通信制御インターフェース部２０４は、通信回線や電話回線等に接続されるアンテナやルータ等の通信装置（図示せず）に接続されるインターフェースであり、サーバ装置２００とネットワーク３００との間における通信制御を行う機能を有する。すなわち、通信制御インターフェース部２０４は、端末装置１００等と通信回線を介してデータを通信する機能を有している。記憶部２０６は、ＨＤＤ（Ｈａｒｄ  Ｄｉｓｋ  Ｄｒｉｖｅ）等の固定ディスク装置またはＳＳＤ（Ｓｏｌｉｄ  Ｓｔａｔｅ  Ｄｒｉｖｅ）等のストレージ手段であり、各種のデータベースやテーブル（パーツ情報データベース２０６ａ、計算式ファイル２０６ｂ等）を格納する。
【００１６】
これら記憶部２０６の各構成要素のうち、パーツ情報データベース２０６ａは、建築物のＢＩＭモデルに組込可能な昇降機のＢＩＭパーツを作成するためのパーツ情報を記憶するパーツ情報記憶手段である。本実施形態において、昇降機は、エレベータ及び乗客コンベアを含む概念であり、乗客コンベアは、エスカレータ及び動く歩道を含む。このパーツ情報データベース２０６ａは、随時、パーツ情報が最新データに更新される。
【００１７】
ここで、パーツ情報は、利用者が建築物のＢＩＭモデルに組み込む昇降機のＢＩＭパーツを設計する上で必要となるあらゆる情報を含む。パーツ情報としては、例えば、用途、定員、積載量、動作速度、色、機種等といった昇降機の仕様、昇降機を建築物に設置する際に必要とされるスペース、寸法、各種付属設備、各種配線配管に関する情報などのうちの少なくとも１つを含む。さらに、パーツ情報としては、例えば、昇降機を構成する構成部品等の部材強度（法規基準強度）、寸法、質量・重量、色、素材、材料、設置位置、固有振動数といった情報の他、価格、納期、在庫状況、据付時間、仕上げ材、耐用年数、メーカ情報、品番型番などのうちの少なくとも１つを含んでもよい。また、パーツ情報としては、例えば、昇降機を構成する構成部品等の基準となる座標軸に対しての３次元の位置情報等を含んでいてもよい。なお、パーツ情報は、上記に限定されない。
【００１８】
より具体的には、本実施形態において、パーツ情報は、例えば、昇降機のＢＩＭパーツを建築物のＢＩＭモデルに組み込む際等に用いられるＢＩＭパーツのサイズ情報等を含んでもよい。また、パーツ情報は、例えば、ＢＩＭパーツをＢＩＭモデルに組み込んだ統合ＢＩＭモデルの動作を解析する際に用いられる動作パラメータ、ＢＩＭパーツを変更する際に用いられる設定パラメータ等を含んでもよい。ＢＩＭパーツのサイズ情報は、ＢＩＭパーツを構成する各ユニット（ファミリ）、構成部品のサイズ情報等を含んでもよい。ＢＩＭパーツを構成する各ユニットとしては、例えば、本実施形態のように昇降機がエレベータである場合には、昇降路、乗りかご、カウンタウェイト、各種長尺物（メインロープ、コンペンロープ、ガバナロープ、テールコード等）、巻上機、ガイドレール、乗り場ホール関連品、機械室、制御盤、電源設備、各種配線配管等が挙げられる。また、ＢＩＭパーツを構成する各ユニットとしては、例えば、昇降機がエスカレータである場合には、トラス、踏段、踏段チェーン等の各種長尺物、移動手摺、乗降板、欄干、駆動装置、機械室、制御盤、電源設備、各種配線配管等が挙げられる。動作パラメータは、昇降機の動作速度、動作パターン等を規定するパラメータ等を含んでもよい。設定パラメータは、ＢＩＭパーツを構成する各ユニットのサイズ、色、材質、上記配線配管情報等を規定するパラメータ等を含んでもよい。
【００１９】
さらに、本実施形態のパーツ情報は、昇降機自体を構成する構成部品に関する情報の他に、昇降機と当該昇降機を組み込む建築物との間に介在可能である支持部材に関する情報も含む。支持部材としては、例えば、ガイドレール等を建築物の構造体（構造梁、構造柱、構造壁等）に連結するブラケット部材、各種締結部材などのうちの少なくとも１つを含んでもよい。
【００２０】
計算式ファイル２０６ｂは、昇降機に関するシミュレーション等の種々の計算を実行する際に使用する各種所定の計算式を記憶する計算式記憶手段である。本実施形態において、計算式ファイル２０６ｂは、支持部材の強度シミュレーション、支持部材の見積計算、建築物側で必要とされる必要部材に関する必要部材シミュレーション等に用いる計算式を記憶する。この他、計算式ファイル２０６ｂは、シミュレーション計算に必要な各種判定値、パラメータ、及び、サンプルデータ等を記憶してもよい。また、計算式ファイル２０６ｂは、随時、各種計算式が最新データに更新される。
【００２１】
また、制御部２０２は、ＯＳ（Ｏｐｅｒａｔｉｎｇ  Ｓｙｓｔｅｍ）等の制御プログラムや、各種の処理手順等を規定したプログラム、及び、所要データを格納するための内部メモリを有する。そして、制御部２０２は、これらのプログラム等により、種々の処理を実行するための情報処理を行う。制御部２０２は、機能概念的に、条件受信部２０２ａ、昇降機モデリング部２０２ｂ、選定部２０２ｃ、距離算出部２０２ｄ、干渉検出部２０２ｅ、強度シミュレーション部２０２ｆ、見積部２０２ｇ、必要部材シミュレーション部２０２ｈ、及び、情報提供部２０２ｉを備える。
【００２２】
このうち、条件受信部２０２ａは、端末装置１００から送信される作成条件等の種々の条件を受信する条件受信手段である。ここで、作成条件は、利用者が所望する昇降機の仕様を示す条件である。つまり、作成条件は、建築物のＢＩＭモデルに組込可能な昇降機のＢＩＭパーツを作成するための条件を指定する。
【００２３】
ここで、端末装置１００から送信される作成条件は、例えば、利用者が所望する昇降機の基本情報、昇降機の仕様に関する昇降機仕様情報、昇降機を設置する建築物に関する建物情報等を含んでもよい。基本情報は、例えば、機種、色、素材、各種寸法、定員、希望の価格、納期、利用者の嗜好性等のうちの少なくとも１つを含んでもよい。昇降機仕様情報は、例えば、昇降機がエレベータの場合、かご内仕様情報及び乗場仕様情報を含んでもよい。かご内仕様情報は、側面、天井、かご操作盤、副操作盤、副操作盤（横）、手すり、鏡、及び、おすすめ仕様等の情報を含んでもよい。乗場仕様情報は、フェースプレート、操作ボタン、インジケーター、ランタン、警報盤、及び、おすすめ仕様等の情報を含んでもよい。建物情報は、昇降機を設置する対象の建築物の概要、建物用途、建物高さ、階床数、階床名、階高、構造形式、各部の寸法、建物形状、各階床の質量（重さ）、各階床のバネ定数（剛性）、昇降機設置位置、フロア人員、居室の配置、空間関係、地理情報、建物部材の数量や特性、部材強度、耐用年数、各種付属設備、各種配線配管等の情報等のうちの少なくとも１つを含んでもよい。また、建物情報は、例えば、昇降機を設置する建築物の基準となる座標軸に対しての３次元の位置情報等を含んでいてもよい。建物情報は、さらに、昇降機を建築物に設置するのに必要な昇降路スペースを規定した昇降路スペース情報を含んでいてもよい。昇降路スペース情報は、例えば昇降機がエレベータの場合、昇降路スペースを規定する間口、奥行、及び、昇降行程等の情報、あるいは、これらの寸法をモデルに反映させた昇降路スペースモデルに関する情報を含んでもよい。さらに、建物情報は、対象の建築物を構成する各構造ユニットに関する寸法、位置等を示す情報を含んでいてもよい。ここで、ＢＩＭモデルが表す建築物を構成する各構造ユニットとしては、例えば、建築物に配置される部屋、壁、通路、非常階段、避難経路、ガス管、水道管、火災報知機、スプリンクラー、梁等が挙げられる。また、作成条件は、建物情報等を含め、昇降機が設置される建築物のＢＩＭモデルそのものに関する情報を含んでいてもよい。
【００２４】
また、昇降機モデリング部２０２ｂは、条件受信部２０２ａにより受信された作成条件に対応する昇降機のＢＩＭパーツを、パーツ情報データベース２０６ａに記憶されたパーツ情報を用いて作成する昇降機モデリング手段である。昇降機モデリング部２０２ｂは、端末装置１００から送信される、基本情報、昇降機仕様情報、建物情報等を含む作成条件に対応するＢＩＭパーツを、パーツ情報データベース２０６ａに記憶されたパーツ情報を用いて作成してもよい。
【００２５】
昇降機モデリング部２０２ｂは、例えば、図３に示すようなエレベータの３次元のＢＩＭパーツを作成する。ここで、図３は、昇降機のＢＩＭパーツの一例を示す図である。図３の左側は、昇降路、乗りかご、ガイドレール等のユニットから構成されるＢＩＭパーツであり、図３の右側は、乗り場ホーム関連品の一例として、乗降口のドアのユニット等から構成されるＢＩＭパーツである。昇降機モデリング部２０２ｂは、利用者が後述のレイアウト画面で確認しながら選択可能なように、作成条件を満たす複数の昇降機のＢＩＭパーツを作成してもよい。昇降機モデリング部２０２ｂは、例えば、条件受信部２０２ａにより受信された作成条件に基づいた建物情報等に基づいて、建築物の概要、規模、設置位置、電源設備容量等から当該建築物に設置可能な昇降機のＢＩＭパーツを単数あるいは複数作成してもよい。また、昇降機モデリング部２０２ｂは、条件受信部２０２ａにより受信された作成条件に基づいた基本情報、昇降機仕様情報等に応じてＢＩＭパーツを自動的に最適化して作成するようにしてもよい。昇降機モデリング部２０２ｂは、作成した昇降機のＢＩＭパーツを記憶部２０６に格納して、ＢＩＭパーツデータベース（図示せず）を構築してもよい。また、昇降機モデリング部２０２ｂが作成した昇降機のＢＩＭパーツは、このＢＩＭパーツ自体に対象の昇降機に関連するパーツ情報等の属性情報を含んでいる。
【００２６】
選定部２０２ｃは、ＢＩＭモデルに含まれる建築物に関する建物情報と、昇降機モデリング部２０２ｂが作成したＢＩＭパーツとに基づいて、ＢＩＭモデルが表す建築物とＢＩＭパーツが表す昇降機との間に介在する支持部材を選定する選定手段である。選定部２０２ｃは、昇降機モデリング部２０２ｂにより作成されたＢＩＭパーツが表す昇降機をＢＩＭモデルが表す建築物に組み込んだ状態で、当該ＢＩＭモデルが表す建築物と当該ＢＩＭパーツが表す昇降機との間に介在する支持部材を選定する。選定部２０２ｃは、ＢＩＭモデルに含まれる建物情報と、ＢＩＭパーツに含まれるパーツ情報とに基づいて、パーツ情報データベース２０６ａに記憶されているパーツ情報に含まれる支持部材に関する情報から、使用する支持部材の設置位置、寸法、素材、個数等を選定する。選定部２０２ｃは、例えば、建物情報に含まれる建築物の各構成部材の３次元の位置情報、パーツ情報に含まれる昇降機の各構成部材の３次元の位置情報等に基づいて支持部材を自動選定する。支持部材は、上述したように、昇降機と当該昇降機を組み込む建築物との間に介在するものであり、例えば、ガイドレール等を建築物の構造体に連結するブラケット部材、各種締結部材等である。
【００２７】
ここで、支持部材の選定に用いる建物情報は、端末装置１００から送信され条件受信部２０２ａにより受信された作成条件に含まれているものを用いてもよいし、作成条件とは別個に送信され条件受信部２０２ａにより受信されたものを用いてもよい。また、建物情報は、当該建物情報を属性情報として含む対象の建築物のＢＩＭモデルそのものを用いてもよいし、後述するＢＩＭモデルデータベース１０６ａに格納されている対象の建築物のＢＩＭモデルから制御部２０２がネットワーク３００等を介して取得したものを用いてもよい。またここでは、支持部材の選定は、昇降機がエレベータである場合を説明するが、昇降機が乗客コンベアである場合にも適用可能である。
【００２８】
より詳細には、選定部２０２ｃは、後述する距離算出部２０２ｄにより算出された部品間の距離、後述する干渉検出部２０２ｅにより検出された部品間の干渉部位、後述する強度シミュレーション部２０２ｆにより実行された支持部材の強度シミュレーションの結果等に基づいて、支持部材を選定する。なお、支持部材を選定する方法はこれに限定されない。
【００２９】
距離算出部２０２ｄは、ＢＩＭモデルに含まれる建築物に関する建物情報と、昇降機モデリング部２０２ｂが作成したＢＩＭパーツとに基づいて、ＢＩＭモデルが表す建築物とＢＩＭパーツが表す昇降機との部品間の距離（以下、「部品間距離」という場合がある。）を算出する距離算出手段である。ここでの部品間距離とは、ＢＩＭパーツが表す昇降機をＢＩＭモデルが表す建築物に組み込んだ状態で、ＢＩＭパーツが表す昇降機を構成する構成部材等の部品と、ＢＩＭモデルが表す建築物を構成する構成部材等の部品との距離である。部品間距離は、例えば、昇降機のガイドレールと建築物の構造体との距離、昇降機の乗りかごと建築物の構造体との距離等をそれぞれ含んでいてもよい。例えば、距離算出部２０２ｄは、ＢＩＭモデルの建物情報に含まれる建築物の各構成部材の３次元の位置情報、ＢＩＭパーツのパーツ情報に含まれる昇降機の各構成部材の３次元の位置情報等を取得する。そして、距離算出部２０２ｄは、これらの情報に基づいて、部品間距離を算出する。
【００３０】
干渉検出部２０２ｅは、ＢＩＭモデルに含まれる建築物に関する建物情報と、昇降機モデリング部２０２ｂが作成したＢＩＭパーツとに基づいて、ＢＩＭモデルが表す建築物とＢＩＭパーツが表す昇降機との部品間の干渉部位（以下、「部品間干渉部位」という場合がある。）を検出する干渉検出手段である。ここでの部品間干渉部位とは、ＢＩＭパーツが表す昇降機をＢＩＭモデルが表す建築物に組み込んだ状態で、ＢＩＭパーツが表す昇降機を構成する構成部材等の部品と、ＢＩＭモデルが表す建築物を構成する構成部材等の部品とが干渉するおそれがある部位である。干渉検出部２０２ｅは、ＢＩＭモデルの建物情報に含まれる建築物の各構成部材の３次元の位置情報、ＢＩＭパーツのパーツ情報に含まれる昇降機の各構成部材の３次元の位置情報等を取得する。そして、干渉検出部２０２ｅは、これらの情報に基づいて、ＢＩＭパーツが表す昇降機を構成する部品とＢＩＭモデルが表す建築物を構成する部品との干渉部位の有無を判定し、干渉部位がある場合には、当該干渉部位を検出する。
【００３１】
強度シミュレーション部２０２ｆは、ＢＩＭモデルに含まれる建築物に関する建物情報と、昇降機モデリング部２０２ｂが作成したＢＩＭパーツとに基づいて、ＢＩＭパーツが表す昇降機から支持部材に作用する荷重に対する当該支持部材の強度シミュレーションを実行する強度シミュレーション手段である。強度シミュレーション部２０２ｆは、昇降機モデリング部２０２ｂにより作成されたＢＩＭパーツが表す昇降機をＢＩＭモデルが表す建築物に組み込んだ状態で、支持部材の強度シミュレーションを実行する。強度シミュレーション部２０２ｆは、計算式ファイル２０６ｂに記憶された支持部材の強度シミュレーションに関する計算式を用いて、支持部材の強度シミュレーションを実行する。例えば、強度シミュレーション部２０２ｆは、支持部材の強度シミュレーションを実行する場合、ＢＩＭモデルの建物情報に含まれる構造形式、建物部材の数量や特性、部材強度等の構造情報、各構成部材の３次元の位置情報等を取得する。さらに、強度シミュレーション部２０２ｆは、ＢＩＭパーツのパーツ情報に含まれる昇降機を構成する構成部品等の部材強度（法規基準強度）、寸法、質量・重量、素材、材料、設置位置等の構造情報、各構成部材の３次元の位置情報、選定の候補となる支持部材に関する情報等を取得する。そして、強度シミュレーション部２０２ｆは、これらの情報と計算式ファイル２０６ｂに記憶された情報に基づいて、昇降機から支持部材に作用する荷重に応じて支持部材の強度シミュレーションを実行する。強度シミュレーション部２０２ｆは、昇降機の昇降に伴って動的に変化する荷重に応じて支持部材の強度シミュレーションを実行するようにしてもよい。支持部材の強度シミュレーションに必要な計算式は、例えば、種々の公知の構造解析用の計算式等を用いればよい。強度シミュレーション部２０２ｆは、強度シミュレーションの結果として、例えば、支持部材に必要とされる寸法、部材強度等を算出する。
【００３２】
そして、選定部２０２ｃは、上記のようにして得られる距離算出部２０２ｄにより算出された部品間距離、干渉検出部２０２ｅにより検出された部品間干渉部位、強度シミュレーション部２０２ｆにより実行された支持部材の強度シミュレーションの結果に基づいて、支持部材を選定する。選定部２０２ｃは、これらに基づいて、パーツ情報データベース２０６ａに記憶されているパーツ情報に含まれる支持部材に関する情報から、使用する支持部材の設置位置、寸法、素材、個数等を選定する。
【００３３】
見積部２０２ｇは、選定部２０２ｃにより選定された支持部材の見積計算を行う見積手段である。見積部２０２ｇは、計算式ファイル２０６ｂに記憶された支持部材の見積計算に関する計算式を用いて、支持部材の見積計算を実行する。例えば、見積部２０２ｇは、パーツ情報データベース２０６ａに記憶されているパーツ情報の支持部材に関する情報に含まれる価格、納期、在庫状況、据付時間、メーカ情報、品番型番等の情報を取得する。そして、見積部２０２ｇは、これらの情報と計算式ファイル２０６ｂに記憶された情報とに基づいて、支持部材の見積計算を実行する。支持部材の見積計算に関する計算式は、例えば、種々の公知の見積計算用の計算式等を用いればよい。
【００３４】
必要部材シミュレーション部２０２ｈは、ＢＩＭモデルに含まれる建築物に関する建物情報と、昇降機モデリング部２０２ｂが作成したＢＩＭパーツと、選定部２０２ｃが選定した支持部材の選定結果とに基づいて、ＢＩＭモデルが表す建築物側で必要とされる必要部材に関する必要部材シミュレーションを実行する必要部材シミュレーション手段である。必要部材シミュレーション部２０２ｈは、昇降機モデリング部２０２ｂにより作成されたＢＩＭパーツが表す昇降機をＢＩＭモデルが表す建築物に組み込んだ状態で、支持部材を介して昇降機を設置する場合に建築物側で必要とされる必要部材に関する必要部材シミュレーションを実行する。必要部材シミュレーション部２０２ｈは、計算式ファイル２０６ｂに記憶された必要部材シミュレーションに関する計算式を用いて、必要部材シミュレーションを実行する。例えば、必要部材シミュレーション部２０２ｈは、必要部材シミュレーションを実行する場合、ＢＩＭモデルの建物情報に含まれる構造形式、建物部材の数量や特性、部材強度等の構造情報、各構成部材の３次元の位置情報等を取得する。さらに、必要部材シミュレーション部２０２ｈは、ＢＩＭパーツのパーツ情報に含まれる昇降機を構成する構成部品、及び、選定された支持部材等の部材強度（法規基準強度）、寸法、質量・重量、素材、材料、設置位置等の構造情報、各構成部材の３次元の位置情報等を取得する。そして、必要部材シミュレーション部２０２ｈは、これらの情報と計算式ファイル２０６ｂに記憶された情報とに基づいて、必要部材シミュレーションを実行する。必要部材シミュレーションに関する計算式は、例えば、種々の公知の構造解析用の計算式等を用いればよい。必要部材シミュレーション部２０２ｈは、必要部材シミュレーションの結果として、例えば、建築物側で必要とされる構造体（構造梁、構造柱、構造壁等）等の必要部材の部材強度、設置位置、寸法、素材、個数等を算出する。
【００３５】
情報提供部２０２ｉは、昇降機モデリング部２０２ｂにより作成されたＢＩＭパーツと、選定部２０２ｃにより選定された支持部材の選定結果とを端末装置１００へ送信する情報提供手段である。ここでは、情報提供部２０２ｉは、昇降機モデリング部２０２ｂにより作成されたＢＩＭパーツの情報、選定部２０２ｃにより選定された支持部材の選定結果の情報を含むＢＩＭ情報を生成し、生成されたＢＩＭ情報を端末装置１００へ送信する。また、情報提供部２０２ｉは、必要に応じて、距離算出部２０２ｄにより算出された部品間距離に関する情報、干渉検出部２０２ｅにより検出された部品間干渉部位に関する情報を含むＢＩＭ情報を生成し、生成されたＢＩＭ情報を端末装置１００へ送信する。また、情報提供部２０２ｉは、必要に応じて、強度シミュレーション部２０２ｆにより実行された支持部材の強度シミュレーションの結果に関する情報、見積部２０２ｇによって行われた見積計算に関する情報、必要部材シミュレーション部２０２ｈにより実行された必要部材シミュレーションの結果に関する情報を含むＢＩＭ情報を生成し、生成されたＢＩＭ情報を端末装置１００へ送信する。また、情報提供部２０２ｉは、必要に応じて、パーツ情報データベース２０６ａに記憶されたパーツ情報、計算式ファイル２０６ｂに記憶された情報を含むＢＩＭ情報を生成し、生成されたＢＩＭ情報を端末装置１００へ送信する。
【００３６】
［端末装置１００の構成］
図２において、端末装置１００は、サーバ装置２００から送信された昇降機のＢＩＭパーツを、記憶部１０６に記憶された建築物のＢＩＭモデルに組み込んだ状態で、サーバ装置２００から送信された支持部材に関する情報を表示部１１４に表示させる機能を有する。また、端末装置１００は、サーバ装置２００から送信された支持部材に関する情報に基づいて、選定された支持部材の発注を行う機能を有する。端末装置１００は、例えば、一般に市販されるデスクトップ型またはノート型のパーソナルコンピュータ等の情報処理装置、携帯電話、スマートフォン、ＰＨＳ、及びＰＤＡ等の携帯端末装置等である。ここで、端末装置１００は、インターネットブラウザ等を搭載していてもよく、ＢＩＭアプリケーション等を搭載していてもよい。また、端末装置１００は、表示部１１４と音声出力部１１６とを少なくとも含む出力部を備えていてもよい。また、端末装置１００は、データ入力等を行う入力部１１８を備えていてもよい。
【００３７】
ここで、表示部１１４は、アプリケーション等の表示画面を表示する表示手段（例えば、液晶または有機ＥＬ等から構成されるディスプレイ、モニタ、及び、タッチパネル等）であってもよい。また、音声出力部１１６は、音声情報を音声として出力する音声出力手段（例えば、スピーカ等）であってもよい。また、入力部１１８は、例えば、キー入力部、タッチパネル、コントロールパッド（例えば、タッチパッド、及び、ゲームパッド等）、マウス、キーボード、及び、マイク等であってもよい。また、入出力制御インターフェース部１０８は、表示部１１４、音声出力部１１６、及び、入力部１１８等の制御を行う。
【００３８】
また、通信制御インターフェース部１０４は、通信回線や電話回線等に接続されるアンテナやルータ等の通信装置（図示せず）に接続されるインターフェースであり、端末装置１００とネットワーク３００との間における通信制御を行う機能を有する。すなわち、通信制御インターフェース部１０４は、サーバ装置２００等と通信回線を介してデータを通信する機能を有している。また、ネットワーク３００は、端末装置１００及びサーバ装置２００と、外部機器または外部システムとを相互に接続する機能を有し、例えば、インターネット、電話回線網（携帯端末回線網及び一般電話回線網等）、イントラネット、または、電力線通信（ＰＬＣ）等であってもよい。
【００３９】
また、記憶部１０６は、ＨＤＤやＳＳＤ等の大容量のストレージ手段、及び／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段である。記憶部１０６は、各種のデータベースやファイルやテーブル（ＢＩＭモデルデータベース１０６ａ等）を格納してもよい。ここで、記憶部１０６は、各種のファイル等を一時的に記憶するものであってもよい。
【００４０】
これら記憶部１０６の各構成要素のうち、ＢＩＭモデルデータベース１０６ａは、上述したような建築物のＢＩＭモデルを記憶するＢＩＭモデル記憶手段である。本実施形態において、ＢＩＭモデルデータベース１０６ａには、予め設計者により設計された建築物のＢＩＭモデルが格納されている。ＢＩＭモデルデータベース１０６ａに記憶されたＢＩＭモデルは、例えば、上述した対象の建築物の建物情報等の属性情報を含んでもよいが、これに限定されない。本実施形態において、上述の昇降機モデリング部２０２ｂによりＢＩＭパーツを作成する際、選定部２０２ｃにより支持部材を選定する際、距離算出部２０２ｄにより部品間距離を算出する際等に、上述の建物情報やＢＩＭモデルそのものが参照されてもよい。また、本実施形態において、上述の干渉検出部２０２ｅにより部品間干渉部位を検出する際、強度シミュレーション部２０２ｆにより強度シミュレーションを実行する際、必要部材シミュレーション部２０２ｈにより必要部材シミュレーションを実行する際等に、上述の建物情報やＢＩＭモデルそのものが参照されてもよい。また、ＢＩＭモデルデータベース１０６ａは、随時、ＢＩＭモデルが最新データに更新される。
【００４１】
なお、このＢＩＭモデルデータベース１０６ａは、端末装置１００の記憶部１０６に設けられるものとして説明するがこれに限らない。ＢＩＭモデルデータベース１０６ａは、サーバ装置２００の記憶部２０６に設けられていてもよいし、ネットワーク３００等を介して端末装置１００、サーバ装置２００と通信可能に接続された記憶装置（不図示）に設けられていてもよい。
【００４２】
図２において、制御部１０２は、ＯＳ（Ｏｐｅｒａｔｉｎｇ  Ｓｙｓｔｅｍ）等の制御プログラムや、各種の処理手順等を規定したプログラム、及び、所要データを格納するための内部メモリを有する。そして、制御部１０２は、これらのプログラム等により、種々の処理を実行するための情報処理を行う。制御部１０２は、機能概念的に、条件送信部１０２ａ、情報取得部１０２ｂ、画面生成部１０２ｃ、画面表示部１０２ｄ、及び、発注部１０２ｅを備える。
【００４３】
このうち、条件送信部１０２ａは、入力された作成条件等の種々の条件をサーバ装置２００へ送信する条件送信手段である。作成条件は、上述したように利用者が所望する建築物のＢＩＭモデルに組込可能な昇降機のＢＩＭパーツを作成するための条件を指定するものである。作成条件は、利用者により端末装置１００において入力部１１８を介して入力されたものを含んでいてもよいし、予め作成条件が記憶された外部記憶装置（図示せず）から読み込まれて入力されたものを含んでいてもよい。さらに、作成条件は、端末装置１００（条件送信部１０２ａや不図示の自動抽出部等）がＢＩＭモデルデータベース１０６ａに格納されている建築物のＢＩＭモデル等から自動で抽出し入力されたものを含んでいてもよい。なお、制御部１０２は、上述したように、建物情報、ＢＩＭモデルそのものに関する情報等を、この条件送信部１０２ａによって作成条件に含ませて送信してもよいし、この条件送信部１０２ａによって作成条件とは別個に送信してもよい。
【００４４】
情報取得部１０２ｂは、情報提供部２０２ｉによりサーバ装置２００から送信されるＢＩＭ情報を含む種々の情報を受信することで取得する情報取得手段である。本実施形態において、情報取得部１０２ｂは、例えば、昇降機モデリング部２０２ｂにより作成されたＢＩＭパーツの情報、選定部２０２ｃにより選定された支持部材の選定結果の情報等を含むＢＩＭ情報を取得する。また、情報取得部１０２ｂは、例えば、必要に応じて、距離算出部２０２ｄにより算出された部品間距離に関する情報、干渉検出部２０２ｅにより検出された部品間干渉部位に関する情報等を含むＢＩＭ情報を取得する。また、情報取得部１０２ｂは、例えば、必要に応じて、強度シミュレーション部２０２ｆにより実行された支持部材の強度シミュレーションの結果に関する情報、見積部２０２ｇによって行われた見積計算に関する情報、必要部材シミュレーション部２０２ｈにより実行された必要部材シミュレーションの結果に関する情報を含むＢＩＭ情報を取得する。また、情報取得部１０２ｂは、例えば、必要に応じて、パーツ情報データベース２０６ａに記憶されたパーツ情報、計算式ファイル２０６ｂに記憶された情報等を含むＢＩＭ情報を取得する。
【００４５】
画面生成部１０２ｃは、情報提供部２０２ｉによりサーバ装置２００から送信され情報取得部１０２ｂにより受信、取得されたＢＩＭ情報に基づいて、表示部１１４に表示させるためのレイアウト画面を生成する画面生成手段である。本実施形態の画面生成部１０２ｃは、ＢＩＭ情報に含まれるＢＩＭパーツと、ＢＩＭ情報に含まれる支持部材の選定結果とを含むレイアウト画面を生成する。
【００４６】
画面生成部１０２ｃは、例えば、昇降機モデリング部２０２ｂにより作成されサーバ装置２００から送信された昇降機のＢＩＭパーツを、ＢＩＭモデルデータベース１０６ａに記憶された建築物のＢＩＭモデルに組み込んだ統合ＢＩＭモデルを作成する統合モデリング手段としても機能する。例えば、画面生成部１０２ｃは、図４、図５に示すようなエレベータのＢＩＭパーツを建築物のＢＩＭモデルに組み込んだ３次元の統合ＢＩＭモデルを作成する。ここで、図４、図５は、ＢＩＭモデルにＢＩＭパーツを組み込んだ統合ＢＩＭモデルの一例を示す図である。図４、図５では、建築物の完成時におけるエレベータの設置状態を示す統合ＢＩＭモデルの一部が示されている。画面生成部１０２ｃは、作成した統合ＢＩＭモデルを記憶部１０６に格納して、統合ＢＩＭモデルデータベース（図示せず）を構築してもよい。そして、画面生成部１０２ｃは、作成した統合ＢＩＭモデルを含むレイアウト画面を生成する。
【００４７】
そしてさらに、本実施形態の画面生成部１０２ｃは、作成した統合ＢＩＭモデルと共に、例えば、図６に示すような選定部２０２ｃにより選定されサーバ装置２００から送信された支持部材の選定結果を含むレイアウト画面を生成する。図６は、支持部材の選定結果を含むレイアウト画面の一例を示す図である。つまり、画面生成部１０２ｃは、情報提供部２０２ｉによりサーバ装置２００から送信されたＢＩＭパーツが表す昇降機を、ＢＩＭモデルが表す建築物に組み込んだ状態で、情報提供部２０２ｉによりサーバ装置２００から送信された支持部材の選定結果を含むレイアウト画面を生成する。画面生成部１０２ｃは、ＢＩＭパーツが表す昇降機を、ＢＩＭモデルが表す建築物に組み込んだ状態で、当該建築物と当該昇降機との間に支持部材を介在させたレイアウト画面を生成する。
【００４８】
画面表示部１０２ｄは、情報提供部２０２ｉによりサーバ装置２００から送信され情報取得部１０２ｂにより受信、取得されたＢＩＭ情報に基づいて、表示部１１４にレイアウト画面を表示させる画面表示手段である。本実施形態の画面表示部１０２ｄは、ＢＩＭ情報に含まれるＢＩＭパーツと、ＢＩＭ情報に含まれる支持部材の選定結果とを含むレイアウト画面を表示部１１４に表示させる。
【００４９】
ここでは、画面表示部１０２ｄは、画面生成部１０２ｃにより生成されたレイアウト画面を表示部１１４に表示させる。画面表示部１０２ｄは、例えば、図４、図５に示すような３次元の統合ＢＩＭモデルを含むレイアウト画面を表示部１１４に表示させる。
【００５０】
そしてさらに、本実施形態の画面表示部１０２ｄは、上記３次元の統合ＢＩＭモデルと共に、例えば、図６に示すような選定部２０２ｃにより選定されサーバ装置２００から送信された支持部材の選定結果を含むレイアウト画面を表示部１１４に表示させる。つまり、画面表示部１０２ｄは、情報提供部２０２ｉによりサーバ装置２００から送信されたＢＩＭパーツが表す昇降機を、ＢＩＭモデルが表す建築物に組み込んだ状態で、情報提供部２０２ｉによりサーバ装置２００から送信された支持部材の選定結果を表示部１１４に表示させる。より詳細には、画面表示部１０２ｄは、例えば、図６に表示するように、ＢＩＭパーツが表す昇降機をＢＩＭモデルが表す建築物に組み込んだ状態で、選定された支持部材の設置位置、寸法、素材、個数等を表示部１１４に表示させ、３次元で可視化する。図６に例示するレイアウト画面では、画面表示部１０２ｄは、支持部材として、昇降機のガイドレールと建築物の構造梁とを連結するブラケット部材を、適正な設置位置に組み込んだ状態で表示部１１４に表示させる。なお、画面表示部１０２ｄは、これに限らず、支持部材の選定結果として、選定された支持部材の設置位置、寸法、素材、個数等を文字情報や数値データで表示部１１４に表示させてもよい。
【００５１】
また、本実施形態の画面生成部１０２ｃは、必要に応じて、ＢＩＭ情報に含まれる見積計算に関する情報を含むレイアウト画面を生成するようにしてもよい。つまり、画面生成部１０２ｃは、作成した統合ＢＩＭモデルと共に、例えば、図６に示すような見積部２０２ｇによって行われサーバ装置２００から送信された見積計算に関する情報を含むレイアウト画面を生成する。そして、画面表示部１０２ｄは、当該見積計算に関する情報に基づいて、ＢＩＭパーツが表す昇降機を、ＢＩＭモデルが表す建築物に組み込んだ状態で、当該見積計算に関する情報を含むレイアウト画面を表示部１１４に表示させる。
【００５２】
また、本実施形態の画面生成部１０２ｃは、必要に応じて、ＢＩＭ情報に含まれる必要部材シミュレーションの結果に関する情報を含むレイアウト画面を生成するようにしてもよい。つまり、画面生成部１０２ｃは、作成した統合ＢＩＭモデルと共に、例えば、図６に示すような必要部材シミュレーション部２０２ｈにより実行されサーバ装置２００から送信された必要部材シミュレーションの結果に関する情報を含むレイアウト画面を生成する。そして、画面表示部１０２ｄは、当該必要部材シミュレーションの結果に関する情報に基づいて、ＢＩＭパーツが表す昇降機を、ＢＩＭモデルが表す建築物に組み込んだ状態で、当該必要部材シミュレーションの結果に関する情報を含むレイアウト画面を表示部１１４に表示させる。より詳細には、画面表示部１０２ｄは、例えば、図６に表示するように、ＢＩＭパーツが表す昇降機をＢＩＭモデルが表す建築物に組み込んだ状態で、必要部材シミュレーションの結果として、必要部材の設置位置、寸法、素材、個数等を表示部１１４に表示させ、３次元で可視化する。図６に例示するレイアウト画面では、画面表示部１０２ｄは、建築物側で必要とされる必要部材として、構造梁を表示部１１４に表示させる。なお、画面表示部１０２ｄは、これに限らず、建築物側で必要とされる必要部材に関する必要部材シミュレーションの結果として、必要部材の部材強度、設置位置、寸法、素材、個数等を文字情報や数値データで表示部１１４に表示させてもよい。
【００５３】
また、本実施形態の画面生成部１０２ｃは、必要に応じて、ＢＩＭ情報に含まれる部品間距離に関する情報、部品間干渉部位に関する情報、支持部材の強度シミュレーションの結果に関する情報を含むレイアウト画面を生成するようにしてもよい。つまり、画面生成部１０２ｃは、作成した統合ＢＩＭモデルと共に、例えば、距離算出部２０２ｄにより算出されサーバ装置２００から送信された部品間距離に関する情報、干渉検出部２０２ｅにより検出されサーバ装置２００から送信された部品間干渉部位に関する情報、強度シミュレーション部２０２ｆにより実行されサーバ装置２００から送信された支持部材の強度シミュレーションの結果に関する情報を含むレイアウト画面を生成する。そして、画面表示部１０２ｄは、ＢＩＭパーツが表す昇降機を、ＢＩＭモデルが表す建築物に組み込んだ状態で、当該部品間距離に関する情報、部品間干渉部位に関する情報、支持部材の強度シミュレーションの結果に関する情報を含むレイアウト画面を表示部１１４に表示させるようにしてもよい。画面表示部１０２ｄは、例えば、部品間干渉部位が存在するのであれば、当該部品間干渉部位を囲み線で囲んだ上で当該囲み線を点滅表示させるようにしてもよいし、部品間干渉部位を赤色で表示させるようにしてもよい。また、画面表示部１０２ｄは、例えば、部品間距離や支持部材に必要とされる部材強度等の文字情報や数値データを含むレイアウト画面を表示部１１４に表示させるようにしてもよい。また、画面表示部１０２ｄは、例えば、図５中に矢印で表すように、昇降機から支持部材に作用する荷重を矢印などで可視化して表示部１１４に表示させるようにしてもよい。
【００５４】
発注部１０２ｅは、選定部２０２ｃにより選定された支持部材の発注を行う発注手段である。発注部１０２ｅは、例えば、選定部２０２ｃにより選定され画面表示部１０２ｄにより表示部１１４に表示された支持部材が、利用者による入力部１１８への入力等に応じて承認されたと判断した場合、当該支持部材の発注を行う。発注部１０２ｅは、当該選定され承認された支持部材の寸法、素材、個数、メーカ情報、品番型番等の情報を、ネットワーク３００等を介して、支持部材の製造元の端末機器等に送信することで、当該支持部材の発注を行う。
【００５５】
以上で、第１の実施形態におけるＢＩＭシステム１０の構成の一例の説明を終える。
【００５６】
［ＢＩＭシステム１０の処理］
次に、このように構成された第１の実施形態におけるＢＩＭシステム１０の処理の一例について、以下に図７を参照して詳細に説明する。図７は、第１の実施形態におけるＢＩＭシステム１０の基本処理の一例を示すフローチャートである。
【００５７】
図７に示すように、端末装置１００の条件送信部１０２ａは、サーバ装置２００にアクセス可能かを判定した後、可能であれば作成条件（ＢＩＭモデルの建物情報等を含む）をサーバ装置２００へ送信する（ステップＳＡ−１）。
【００５８】
そして、サーバ装置２００の条件受信部２０２ａは、ステップＳＡ−１にて条件送信部１０２ａの処理により送信される作成条件を受信する（ステップＳＡ−２）。
【００５９】
そして、サーバ装置２００の昇降機モデリング部２０２ｂは、ステップＳＡ−２にて条件受信部２０２ａの処理により受信された作成条件に対応する昇降機のＢＩＭパーツを、パーツ情報データベース２０６ａに記憶されたパーツ情報を用いて作成する（ステップＳＡ−３）。
【００６０】
そして、サーバ装置２００の距離算出部２０２ｄは、ＢＩＭモデルの建物情報と、昇降機のＢＩＭパーツとに基づいて部品間距離を算出する（ステップＳＡ−４）。ここで、ＢＩＭモデルの建物情報は、例えば、ステップＳＡ−２にて条件受信部２０２ａの処理により受信された作成条件に含まれる建物情報であってもよいし、作成条件とは別個に受信された建物情報であってもよい。昇降機のＢＩＭパーツは、ステップＳＡ−３にて昇降機モデリング部２０２ｂの処理により作成された昇降機のＢＩＭパーツである。
【００６１】
そして、サーバ装置２００の干渉検出部２０２ｅは、ＢＩＭモデルの建物情報と、昇降機のＢＩＭパーツとに基づいて部品間干渉部位を検出する（ステップＳＡ−５）。ここで、ＢＩＭモデルの建物情報は、例えば、ステップＳＡ−２にて条件受信部２０２ａの処理により受信された作成条件に含まれる建物情報であってもよいし、作成条件とは別個に受信された建物情報であってもよい。昇降機のＢＩＭパーツは、ステップＳＡ−３にて昇降機モデリング部２０２ｂの処理により作成された昇降機のＢＩＭパーツである。
【００６２】
そして、サーバ装置２００の強度シミュレーション部２０２ｆは、ＢＩＭモデルの建物情報と、昇降機のＢＩＭパーツとに基づいて、支持部材の強度シミュレーションを実行する（ステップＳＡ−６）。ここで、ＢＩＭモデルの建物情報は、例えば、ステップＳＡ−２にて条件受信部２０２ａの処理により受信された作成条件に含まれる建物情報であってもよいし、作成条件とは別個に受信された建物情報であってもよい。昇降機のＢＩＭパーツは、ステップＳＡ−３にて昇降機モデリング部２０２ｂの処理により作成された昇降機のＢＩＭパーツである。強度シミュレーション部２０２ｆは、支持部材の強度シミュレーションの結果として、選定の候補となる支持部材に必要とされる部材強度等を算出する。
【００６３】
そして、サーバ装置２００の選定部２０２ｃは、ＢＩＭモデルの建物情報、昇降機のＢＩＭパーツ、部品間距離、部品間干渉部位、強度シミュレーションの結果等に基づいて、支持部材を選定する（ステップＳＡ−７）。ここで、ＢＩＭモデルの建物情報は、例えば、ステップＳＡ−２にて条件受信部２０２ａの処理により受信された作成条件に含まれる建物情報であってもよいし、作成条件とは別個に受信された建物情報であってもよい。昇降機のＢＩＭパーツは、ステップＳＡ−３にて昇降機モデリング部２０２ｂの処理により作成された昇降機のＢＩＭパーツである。部品間距離は、ステップＳＡ−４にて距離算出部２０２ｄの処理により算出された部品間距離である。部品間干渉部位は、ステップＳＡ−５にて干渉検出部２０２ｅの処理により検出された部品間干渉部位である。強度シミュレーションの結果は、ステップＳＡ−６にて強度シミュレーション部２０２ｆの処理により実行された支持部材の強度シミュレーションの結果である。選定部２０２ｃは、パーツ情報データベース２０６ａに記憶されているパーツ情報に含まれる支持部材に関する情報から、これらの条件に合致する支持部材の設置位置、寸法、素材、個数等を選定する。
【００６４】
そして、サーバ装置２００の見積部２０２ｇは、ステップＳＡ−７にて選定部２０２ｃの処理により選定された支持部材の見積計算を行う（ステップＳＡ−８）。見積部２０２ｇは、例えば、パーツ情報データベース２０６ａに記憶されているパーツ情報の支持部材に関する情報に含まれる価格、納期、在庫状況、据付時間、メーカ情報、品番型番等の情報に基づいて、支持部材の見積計算を実行する。
【００６５】
そして、サーバ装置２００の必要部材シミュレーション部２０２ｈは、ＢＩＭモデルの建物情報と、昇降機のＢＩＭパーツと、支持部材の選定結果とに基づいて、ＢＩＭモデルが表す建築物側で必要とされる必要部材に関する必要部材シミュレーションを実行する（ステップＳＡ−９）。ここで、ＢＩＭモデルの建物情報は、例えば、ステップＳＡ−２にて条件受信部２０２ａの処理により受信された作成条件に含まれる建物情報であってもよいし、作成条件とは別個に受信された建物情報であってもよい。昇降機のＢＩＭパーツは、ステップＳＡ−３にて昇降機モデリング部２０２ｂの処理により作成された昇降機のＢＩＭパーツである。支持部材の選定結果は、ステップＳＡ−７にて選定部２０２ｃの処理により選定された支持部材の選定結果である。
【００６６】
そして、サーバ装置２００の情報提供部２０２ｉは、ＢＩＭパーツの情報、支持部材の選定結果の情報を含むＢＩＭ情報を生成する（ステップＳＡ−１０）。ＢＩＭパーツの情報は、ステップＳＡ−３にて昇降機モデリング部２０２ｂの処理により作成された昇降機のＢＩＭパーツの情報である。支持部材の選定結果の情報は、ステップＳＡ−７にて選定部２０２ｃの処理により選定された支持部材の選定結果の情報である。この場合、情報提供部２０２ｉは、必要に応じて、ステップＳＡ−４にて距離算出部２０２ｄの処理により算出された部品間距離に関する情報、ステップＳＡ−５にて干渉検出部２０２ｅの処理により検出された部品間干渉部位に関する情報を含むＢＩＭ情報を生成してもよい。また、情報提供部２０２ｉは、必要に応じて、ステップＳＡ−６にて強度シミュレーション部２０２ｆの処理により実行された支持部材の強度シミュレーションの結果に関する情報、ステップＳＡ−８にて見積部２０２ｇの処理により行われた見積計算に関する情報を含むＢＩＭ情報を生成してもよい。また、情報提供部２０２ｉは、必要に応じて、ステップＳＡ−９にて必要部材シミュレーション部２０２ｈの処理により実行された必要部材シミュレーションの結果に関する情報を含むＢＩＭ情報を生成してもよい。また、情報提供部２０２ｉは、必要に応じて、パーツ情報データベース２０６ａに記憶されているパーツ情報、計算式ファイル２０６ｂに記憶された情報を含むＢＩＭ情報を生成してもよい。
【００６７】
そして、サーバ装置２００の情報提供部２０２ｉは、ステップＳＡ−１０での処理により生成したＢＩＭ情報を端末装置１００へ送信する（ステップＳＡ−１１）。
【００６８】
そして、端末装置１００の情報取得部１０２ｂは、ステップＳＡ−１１にて情報提供部２０２ｉの処理により送信されたＢＩＭ情報を受信する（ステップＳＡ−１２）。
【００６９】
そして、端末装置１００の画面生成部１０２ｃは、ステップＳＡ−１２にて情報取得部１０２ｂの処理により受信されたＢＩＭ情報に基づいてレイアウト画面を生成する（ステップＳＡ−１３）。
【００７０】
そして、端末装置１００の画面表示部１０２ｄは、ステップＳＡ−１３にて画面生成部１０２ｃの処理により生成されたレイアウト画面を表示部１１４に表示させる（ステップＳＡ−１４）。例えば、画面表示部１０２ｄは、上述した図６に例示するようなレイアウト画面を表示部１１４に表示させる。
【００７１】
そして、端末装置１００の条件送信部１０２ａは、ステップＳＡ−１４にて画面表示部１０２ｄの処理により表示部１１４に表示された図６に例示するようなレイアウト画面を踏まえて、選定された支持部材が承認されたか否を判定する（ステップＳＡ−１５）。条件送信部１０２ａは、例えば、入力部１１８等を介して利用者や設計者により、選定された支持部材が承認されたか否を判定する。
【００７２】
端末装置１００の条件送信部１０２ａは、ステップＳＡ−１５にて条件送信部１０２ａの処理により、支持部材が承認されていないと判定された場合（ステップＳＡ−１５：Ｎｏ）、処理をステップＳＡ−１に移行させ、入力部１１８等を介して利用者や設計者により入力される新たな作成条件をサーバ装置２００へ送信する。
【００７３】
端末装置１００の発注部１０２ｅは、ステップＳＡ−１５にて条件送信部１０２ａの処理により、支持部材が承認されたと判定された場合（ステップＳＡ−１５：Ｙｅｓ）、選定され表示部１１４に表示された支持部材の発注を行い（ステップＳＡ−１６）、この処理を終了する。
【００７４】
なお、以上の説明では、本実施形態のＢＩＭシステム１０は、図７で説明した基本処理に、必要部材シミュレーション処理（ステップＳＡ−９）等を組み込んだ場合で説明したが、当該必要部材シミュレーション処理を基本処理とは独立させ、単独で実行してもよい。すなわち、必要部材シミュレーション部２０２ｈは、昇降機モデリング部２０２ｂによって既に作成済みのＢＩＭパーツ、選定部２０２ｃによって既に選定済みの支持部材を用いて必要部材シミュレーション処理を行ってもよい。
【００７５】
以上で、第１の実施形態におけるＢＩＭシステム１０の処理の一例の説明を終える。
【００７６】
上記のように構成されるＢＩＭシステム１０は、例えば、各業種にて建物全体データである建築物の３次元モデル（すなわち、建築物のＢＩＭモデル）を共有することができるので、共通の最新データ上で同期しながら関連性及び整合性の確認を行うことができる。そして、ＢＩＭシステム１０は、ＢＩＭモデルが表す建築物とＢＩＭパーツが表す昇降機との間に介在する支持部材を自動で選定することができる。そして、ＢＩＭシステム１０は、図６に示すように、端末装置１００の表示部１１４に、建築物のＢＩＭモデルに昇降機のＢＩＭパーツを組み込んだ統合ＢＩＭモデルと共に、支持部材の選定結果を含んだレイアウト画面を表示することができる。これにより、ＢＩＭシステム１０は、ＢＩＭモデルに昇降機のＢＩＭパーツを組み込んだ統合ＢＩＭモデル上で、建築物と当該建築物に納入する昇降機に応じて３次元のイメージモデルで可視化し、事前に支持部材についての設計確認や検討を行うことができる。これにより、ＢＩＭシステム１０は、現地調査の工数や設計ロスを削減することができる。この結果、ＢＩＭシステム１０は、高い設計品質を確保することができ、作業効率を向上することができる。
【００７７】
このとき、ＢＩＭシステム１０は、支持部材の選定にあたっては、ＢＩＭモデルが表す建築物とＢＩＭパーツが表す昇降機との部品間の距離、干渉部位、ＢＩＭパーツが表す昇降機から支持部材に作用する荷重に対する強度シミュレーション等に基づいて、支持部材を選定する。この結果、ＢＩＭシステム１０は、例えば、法規基準強度等を満たした上で、昇降機を設置する建築物や設置される昇降機に応じた最適な支持部材を自動で選定し、使用する支持部材の設置位置、寸法、素材、個数等を個別に選定することができる。これにより、ＢＩＭシステム１０は、部材手配の前の段階で不具合を改善しトラブルを未然に防ぐことができる。また、ＢＩＭシステム１０は、選定された支持部材を表示部１１４等で確認した後、そのまま支持部材を製造元に発注することもできるので、支持部材の選定から発注までを１つのシステムで一元化すると共に、複数人の間で容易に情報を共有することができる。この点でも、ＢＩＭシステム１０は、高い設計品質を確保することができ、作業効率を向上することができる。
【００７８】
また、ＢＩＭシステム１０は、上記のようにして選定された支持部材の選定結果に基づいて、ＢＩＭモデルが表す建築物側で必要とされる必要部材に関する必要部材シミュレーションを実行することから、建築物側の設計においても、高い設計品質を確保することができ、作業効率を向上することができる。
【００７９】
これにより、利用者は、施工前の計画段階で、建築物と昇降機との間に介在する支持部材を視覚的に容易に検討、確認、比較することができ、昇降機の仕様や工事内容等を効率よく検討し進めることができる。さらに言えば、利用者は、昇降機を含む建築物の基本設計と実施設計とを連携したプロセスとすることができる。この場合、利用者は、建築物と昇降機との間に介在する支持部材を設計初期の段階からシミュレーションし視覚的に判断して最適化を図ることができ、例えば、デザイン性の向上、コスト低減、作業性向上、作業時間短縮等を図ることができる。また、利用者は、上述のように、例えば、統合ＢＩＭモデル上で、建築物と昇降機との間に介在する支持部材における問題箇所の全体を事前に視覚的に確認できる。そして、設計変更等が即座に利用者に対してフィードバックされ、よって、利用者は、タイムリーに作業を進めることができる。
【００８０】
また、利用者は、例えば、建築物と昇降機との間に介在する支持部材の検討において、客先や関係業者との調整、修正の過程を効率的に経ることができ、また同一建築物内での他の設備工事等との整合性も容易に図ることができる。また、利用者は、例えば、昇降機のデザイン選定等においても、客先のイメージの相互確認を容易に行うことができ、設備提案を効率よく行うことができ、短期間で客先に最適な仕様等を提案することができる。また、利用者は、例えば、工事完了後の利用環境、昇降機の動き等を可視化してシミュレーションすることができ、客先に対して容易に種々の検証及び提案を行うことができる。
【００８１】
［第２の実施形態］
図８は、第２の実施形態におけるＢＩＭシステムの構成の一例を示すブロック図、図９は、第２の実施形態における基本処理の一例を示すフローチャートである。第２の実施形態に係るＢＩＭシステム（機能分散型のＢＩＭシステム）は、選定手段、距離算出手段、干渉検出手段、強度シミュレーション手段、見積手段、必要部材シミュレーション手段が端末装置側に設けられている点で第１の実施形態とは異なる。その他、上述した実施形態と共通する構成、作用、効果については、重複した説明はできるだけ省略する。
【００８２】
［ＢＩＭシステム２０の構成］
まず、第２の実施形態におけるＢＩＭシステムの構成の一例について、図８を参照して以下に説明する。図８は、第２の実施形態におけるＢＩＭシステムの構成の一例を示すブロック図であり、該構成のうち主要な部分を概念的に示している。なお、第２の実施形態で例示するＢＩＭシステムにおけるサーバ側と端末側の機能分散の形態は以下に限られず、同様の効果や機能を奏し得る範囲において、任意の単位で機能的または物理的に分散・統合して構成することができる。また、本実施形態においては、通信型のＢＩＭシステムを具体例として説明するが、これに限ることなく、スタンドアロン型のＢＩＭシステムなどにも適用可能である。
【００８３】
図８に示すように、第２の実施形態のＢＩＭシステム２０は、概略的に、昇降機の３次元モデル（すなわち、昇降機のＢＩＭパーツ）等の情報を提供できるサーバ装置２００、及び、単数または複数のＢＩＭアプリケーション等を搭載した端末装置１００、を通信可能に接続して構成される。図８に示すように、第２の実施形態のＢＩＭシステム２０において、サーバ装置２００は、概略的に、制御部２０２と記憶部２０６とを少なくとも備えている。端末装置１００は、出力部（表示部１１４及び音声出力部１１６）と入力部１１８と制御部１０２と記憶部１０６とを少なくとも備える。
【００８４】
［サーバ装置２００の構成］
ここで、図８において、サーバ装置２００は、端末装置１００から送信される作成条件に対応する昇降機のＢＩＭパーツを、記憶部２０６に記憶されたパーツ情報を用いて作成する機能を有する。そして、サーバ装置２００は、作成されたＢＩＭパーツを端末装置１００へ送信する機能を有する。これにより、サーバ装置２００は、端末装置１００において、ＢＩＭモデルに含まれる建築物に関する建物情報と、サーバ装置２００から送信されたＢＩＭパーツとに基づいて、ＢＩＭモデルが表す建築物とＢＩＭパーツが表す昇降機との間に介在する支持部材を選定させる機能を有する。そして、サーバ装置２００は、端末装置１００において、サーバ装置２００から送信されたＢＩＭパーツが表す昇降機をＢＩＭモデルが表す建築物に組み込んだ状態で、支持部材の選定結果を表示部１１４に表示させる機能を有する。
【００８５】
サーバ装置２００は、通信制御インターフェース部２０４を介してネットワーク３００を経由し、端末装置１００と相互に通信可能に接続されており、制御部２０２と記憶部２０６とを備える。
【００８６】
図８において、サーバ装置２００の記憶部２０６は、パーツ情報データベース２０６ａを備える。サーバ装置２００の記憶部２０６の各構成要素のうち、パーツ情報データベース２０６ａは、建築物のＢＩＭモデルに組込可能な昇降機のＢＩＭパーツを作成するためのパーツ情報を記憶するパーツ情報記憶手段である。
【００８７】
図８において、サーバ装置２００の制御部２０２は、機能概念的に、条件受信部２０２ａ、昇降機モデリング部２０２ｂ、及び、情報提供部２０２ｉを備える。ここでは、制御部２０２は、上述の選定部２０２ｃ（図２参照）、距離算出部２０２ｄ（図２参照）、干渉検出部２０２ｅ（図２参照）、強度シミュレーション部２０２ｆ（図２参照）、見積部２０２ｇ（図２参照）、必要部材シミュレーション部２０２ｈ（図２参照）を備えていない。
【００８８】
このうち、条件受信部２０２ａは、端末装置１００から送信される作成条件等の種々の条件を受信する条件受信手段である。
【００８９】
また、昇降機モデリング部２０２ｂは、条件受信部２０２ａにより受信された作成条件に対応する昇降機のＢＩＭパーツを、パーツ情報データベース２０６ａに記憶されたパーツ情報を用いて作成する昇降機モデリング手段である。
【００９０】
情報提供部２０２ｉは、昇降機モデリング部２０２ｂにより作成されたＢＩＭパーツを端末装置１００へ送信する情報提供手段である。ここでは、情報提供部２０２ｉは、作成されたＢＩＭパーツの情報を含むＢＩＭ情報を生成し、生成されたＢＩＭ情報を端末装置１００へ送信する。また、情報提供部２０２ｉは、必要に応じて、パーツ情報データベース２０６ａに記憶されているパーツ情報も含むＢＩＭ情報を生成し、生成されたＢＩＭ情報を端末装置１００へ送信する。
【００９１】
［端末装置１００の構成］
また、図８において、端末装置１００は、ＢＩＭモデルに含まれる建築物に関する建物情報と、ＢＩＭパーツとに基づいて、ＢＩＭモデルが表す建築物とＢＩＭパーツが表す昇降機との間に介在する支持部材を選定する機能を有する。さらに、端末装置１００は、選定された支持部材の見積計算を行う機能を有する。さらに、端末装置１００は、ＢＩＭモデルに含まれる建築物に関する建物情報と、ＢＩＭパーツと、支持部材の選定結果とに基づいて、ＢＩＭモデルが表す建築物側で必要とされる必要部材に関する必要部材シミュレーションを実行する機能を有する。そして、端末装置１００は、サーバ装置２００から送信されたＢＩＭパーツをＢＩＭモデルに組み込んだ状態で、選定した支持部材、支持部材の見積計算に関する情報、必要部材に関する必要部材シミュレーションの結果等を表示部１１４に表示させる機能を有する。また、端末装置１００は、選定した支持部材に関する情報に基づいて、選定された支持部材の発注を行う機能を有する。
【００９２】
端末装置１００は、通信制御インターフェース部１０４を介してネットワーク３００を経由し、サーバ装置２００と相互に通信可能に接続されており、制御部１０２と記憶部１０６とを備える。また、端末装置１００は、表示部１１４と音声出力部１１６とを少なくとも含む出力部を備えていてもよい。また、端末装置１００は、データ入力等を行う入力部１１８を備えていてもよい。端末装置１００の入出力制御インターフェース部１０８は、表示部１１４、音声出力部１１６、及び、入力部１１８等の制御を行う。
【００９３】
図８において、端末装置１００の記憶部１０６は、ＢＩＭモデルデータベース１０６ａと、計算式ファイル１０６ｂとを備える。端末装置１００の記憶部１０６の各構成要素のうち、ＢＩＭモデルデータベース１０６ａは、建築物のＢＩＭモデルを記憶するＢＩＭモデル記憶手段である。
【００９４】
また、計算式ファイル１０６ｂは、昇降機に関するシミュレーション等の種々の計算を実行する際に使用する各種所定の計算式を記憶する計算式記憶手段である。
【００９５】
図８において、端末装置１００の制御部１０２は、機能概念的に、条件送信部１０２ａ、情報取得部１０２ｂ、画面生成部１０２ｃ、画面表示部１０２ｄ、発注部１０２ｅ、選定部１０２ｆ、距離算出部１０２ｇ、干渉検出部１０２ｈ、強度シミュレーション部１０２ｉ、見積部１０２ｊ、及び、必要部材シミュレーション部１０２ｋを備える。
【００９６】
このうち、条件送信部１０２ａは、入力された作成条件等の種々の条件をサーバ装置２００へ送信する条件送信手段である。
【００９７】
情報取得部１０２ｂは、情報提供部２０２ｉによりサーバ装置２００から送信されるＢＩＭ情報を含む種々の情報を受信することで取得する情報取得手段である。本実施形態において、情報取得部１０２ｂは、例えば、昇降機モデリング部２０２ｂにより作成されたＢＩＭパーツの情報を含むＢＩＭ情報を取得する。また、情報取得部１０２ｂは、例えば、必要に応じて、パーツ情報データベース２０６ａに記憶されているパーツ情報等を含むＢＩＭ情報を取得する。
【００９８】
ここで、先に選定部１０２ｆ、距離算出部１０２ｇ、干渉検出部１０２ｈ、強度シミュレーション部１０２ｉ、見積部１０２ｊ、及び、必要部材シミュレーション部１０２ｋについて説明する。
【００９９】
本実施形態の選定部１０２ｆは、情報提供部２０２ｉによりサーバ装置２００から送信され情報取得部１０２ｂにより受信、取得されたＢＩＭ情報に基づいて、ＢＩＭモデルが表す建築物とＢＩＭパーツが表す昇降機との間に介在する支持部材を選定する選定手段である。選定部１０２ｆは、ＢＩＭモデルデータベース１０６ａに記憶されたＢＩＭモデルに含まれる建築物に関する建物情報と、情報提供部２０２ｉによりサーバ装置２００から送信されたＢＩＭパーツとに基づいて、支持部材を選定する。選定部１０２ｆは、情報提供部２０２ｉによりサーバ装置２００から送信されたパーツ情報に含まれる支持部材に関する情報から、使用する支持部材の設置位置、寸法、素材、個数等を選定する。
【０１００】
距離算出部１０２ｇは、ＢＩＭモデルが表す建築物とＢＩＭパーツが表す昇降機との部品間の距離を算出する距離算出手段である。距離算出部１０２ｇは、ＢＩＭモデルデータベース１０６ａに記憶されたＢＩＭモデルに含まれる建築物に関する建物情報と、情報提供部２０２ｉによりサーバ装置２００から送信されたＢＩＭパーツとに基づいて、部品間距離を算出する。
【０１０１】
干渉検出部１０２ｈは、ＢＩＭモデルが表す建築物とＢＩＭパーツが表す昇降機との部品間の干渉部位を検出する干渉検出手段である。干渉検出部１０２ｈは、ＢＩＭモデルデータベース１０６ａに記憶されたＢＩＭモデルに含まれる建築物に関する建物情報と、情報提供部２０２ｉによりサーバ装置２００から送信されたＢＩＭパーツとに基づいて、部品間干渉部位を検出する。
【０１０２】
強度シミュレーション部１０２ｉは、ＢＩＭパーツが表す昇降機から支持部材に作用する荷重に対する当該支持部材の強度シミュレーションを実行する強度シミュレーション手段である。強度シミュレーション部１０２ｉは、ＢＩＭモデルデータベース１０６ａに記憶されたＢＩＭモデルに含まれる建築物に関する建物情報と、情報提供部２０２ｉによりサーバ装置２００から送信されたＢＩＭパーツとに基づいて、強度シミュレーションを実行する。強度シミュレーション部１０２ｉは、計算式ファイル１０６ｂに記憶された支持部材の強度シミュレーションに関する計算式を用いて、支持部材の強度シミュレーションを実行する。
【０１０３】
そして、選定部１０２ｆは、上記のようにして得られる距離算出部１０２ｇにより算出された部品間距離、干渉検出部１０２ｈにより検出された部品間干渉部位、強度シミュレーション部１０２ｉにより実行された支持部材の強度シミュレーションの結果に基づいて、支持部材を選定する。
【０１０４】
見積部１０２ｊは、選定部１０２ｆにより選定された支持部材の見積計算を行う見積手段である。見積部１０２ｊは、計算式ファイル１０６ｂに記憶された支持部材の見積計算に関する計算式を用いて、支持部材の見積計算を実行する。例えば、見積部１０２ｊは、情報提供部２０２ｉによりサーバ装置２００から送信されたパーツ情報の支持部材に関する情報に含まれる価格、納期、在庫状況、据付時間、メーカ情報、品番型番等の情報を取得する。そして、見積部１０２ｊは、これらの情報と計算式ファイル１０６ｂに記憶された情報に基づいて、支持部材の見積計算を実行する。
【０１０５】
必要部材シミュレーション部１０２ｋは、ＢＩＭモデルが表す建築物側で必要とされる必要部材に関する必要部材シミュレーションを実行する必要部材シミュレーション手段である。必要部材シミュレーション部１０２ｋは、ＢＩＭモデルデータベース１０６ａに記憶されたＢＩＭモデルに含まれる建築物に関する建物情報と、情報提供部２０２ｉによりサーバ装置２００から送信されたＢＩＭパーツと、選定部１０２ｆが選定した支持部材の選定結果とに基づいて、必要部材シミュレーションを実行する。必要部材シミュレーション部１０２ｋは、計算式ファイル１０６ｂに記憶された必要部材シミュレーションに関する計算式を用いて、必要部材シミュレーションを実行する。
【０１０６】
画面生成部１０２ｃは、情報提供部２０２ｉによりサーバ装置２００から送信されたＢＩＭパーツ（ＢＩＭ情報）と、選定部１０２ｆにより選定された支持部材の選定結果とに基づいて、表示部１１４に表示させるためのレイアウト画面を生成する画面生成手段である。本実施形態の画面生成部１０２ｃは、上記ＢＩＭパーツと、上記支持部材の選定結果とを含むレイアウト画面を生成する。
【０１０７】
画面生成部１０２ｃは、例えば、昇降機モデリング部２０２ｂにより作成されサーバ装置２００から送信された昇降機のＢＩＭパーツが表す昇降機を、ＢＩＭモデルデータベース１０６ａに記憶された建築物のＢＩＭモデルが表す建築物に組み込んだ統合ＢＩＭモデルを作成する統合モデリング手段としても機能する。そして、画面生成部１０２ｃは、作成した統合ＢＩＭモデルを含むレイアウト画面を生成する。本実施形態の画面生成部１０２ｃは、作成した統合ＢＩＭモデルと共に、例えば、図６に示すような選定部１０２ｆにより選定された支持部材の選定結果を含むレイアウト画面を生成する。また、本実施形態の画面生成部１０２ｃは、必要に応じて、作成した統合ＢＩＭモデルと共に、図６に示すような見積部１０２ｊにより行われた見積計算に関する情報を含むレイアウト画面を生成するようにしてもよい。また、本実施形態の画面生成部１０２ｃは、必要に応じて、作成した統合ＢＩＭモデルと共に、図６に示すような必要部材シミュレーション部１０２ｋにより実行された必要部材シミュレーションの結果に関する情報を含むレイアウト画面を生成するようにしてもよい。また、本実施形態の画面生成部１０２ｃは、必要に応じて、作成した統合ＢＩＭモデルと共に、距離算出部１０２ｇにより算出された部品間距離に関する情報、干渉検出部１０２ｈにより検出された部品間干渉部位に関する情報、強度シミュレーション部１０２ｉにより実行された支持部材の強度シミュレーションの結果に関する情報を含むレイアウト画面を生成するようにしてもよい。
【０１０８】
画面表示部１０２ｄは、情報提供部２０２ｉによりサーバ装置２００から送信されたＢＩＭパーツ（ＢＩＭ情報）と、選定部１０２ｆにより選定された支持部材の選定結果とに基づいて、表示部１１４にレイアウト画面を表示させる画面表示手段である。本実施形態の画面表示部１０２ｄは、ＢＩＭ情報に含まれるＢＩＭパーツと、選定部１０２ｆにより選定された支持部材の選定結果とを含むレイアウト画面を表示部１１４に表示させる。
【０１０９】
ここでは、画面表示部１０２ｄは、画面生成部１０２ｃにより生成されたレイアウト画面を表示部１１４に表示させる。本実施形態の画面表示部１０２ｄは、上記３次元の統合ＢＩＭモデルと共に、例えば、図６に示すような支持部材の選定結果を含むレイアウト画面を表示部１１４に表示させる。つまり、画面表示部１０２ｄは、情報提供部２０２ｉによりサーバ装置２００から送信されたＢＩＭパーツが表す昇降機を、ＢＩＭモデルデータベース１０６ａに記憶されたＢＩＭモデルが表す建築物に組み込んだ状態で、選定部１０２ｆにより選定された支持部材の選定結果を表示部１１４に表示させる。また、画面表示部１０２ｄは、当該ＢＩＭパーツが表す昇降機を、当該ＢＩＭモデルが表す建築物に組み込んだ状態で、見積部１０２ｊにより行われた見積計算に関する情報、必要部材シミュレーション部１０２ｋにより実行された必要部材シミュレーションの結果に関する情報を表示部１１４に表示させてもよい。さらに、画面表示部１０２ｄは、当該ＢＩＭパーツが表す昇降機を、当該ＢＩＭモデルが表す建築物に組み込んだ状態で、距離算出部１０２ｇにより算出された部品間距離に関する情報、干渉検出部１０２ｈにより検出された部品間干渉部位に関する情報、強度シミュレーション部１０２ｉにより実行された支持部材の強度シミュレーションの結果に関する情報を表示部１１４に表示させてもよい。
【０１１０】
発注部１０２ｅは、選定部１０２ｆにより選定された支持部材の発注を行う発注手段である。
【０１１１】
以上で、第２の実施形態におけるＢＩＭシステム２０の構成の一例の説明を終える。
【０１１２】
［ＢＩＭシステム２０の処理］
次に、このように構成された第２の実施形態におけるＢＩＭシステム２０の処理の一例について、以下に図９を参照して詳細に説明する。
【０１１３】
図９に示すように、端末装置１００の条件送信部１０２ａは、サーバ装置２００にアクセス可能かを判定した後、可能であれば作成条件をサーバ装置２００へ送信する（ステップＳＢ−１）。
【０１１４】
そして、サーバ装置２００の条件受信部２０２ａは、ステップＳＢ−１にて条件送信部１０２ａの処理により送信される作成条件を受信する（ステップＳＢ−２）。
【０１１５】
そして、サーバ装置２００の昇降機モデリング部２０２ｂは、ステップＳＢ−２にて条件受信部２０２ａの処理により受信された作成条件に対応する昇降機のＢＩＭパーツを、パーツ情報データベース２０６ａに記憶されたパーツ情報を用いて作成する（ステップＳＢ−３）。
【０１１６】
そして、サーバ装置２００の情報提供部２０２ｉは、ステップＳＢ−３にて昇降機モデリング部２０２ｂの処理により作成された昇降機のＢＩＭパーツの情報を含むＢＩＭ情報を生成する（ステップＳＢ−４）。この場合、情報提供部２０２ｉは、必要に応じて、パーツ情報データベース２０６ａに記憶されているパーツ情報を含むＢＩＭ情報を生成してもよい。
【０１１７】
そして、サーバ装置２００の情報提供部２０２ｉは、ステップＳＢ−４での処理により生成したＢＩＭ情報を端末装置１００へ送信する（ステップＳＢ−５）。
【０１１８】
そして、端末装置１００の情報取得部１０２ｂは、ステップＳＢ−５にて情報提供部２０２ｉの処理により送信されたＢＩＭ情報を受信する（ステップＳＢ−６）。
【０１１９】
そして、端末装置１００の距離算出部１０２ｇは、ＢＩＭモデルデータベース１０６ａに記憶されたＢＩＭモデルの建物情報と、昇降機のＢＩＭパーツとに基づいて部品間距離を算出する（ステップＳＢ−７）。ここで、昇降機のＢＩＭパーツは、ステップＳＢ−６にて情報取得部１０２ｂの処理により受信されたＢＩＭ情報に含まれる昇降機のＢＩＭパーツである。
【０１２０】
そして、端末装置１００の干渉検出部１０２ｈは、ＢＩＭモデルデータベース１０６ａに記憶されたＢＩＭモデルの建物情報と、昇降機のＢＩＭパーツとに基づいて部品間干渉部位を検出する（ステップＳＢ−８）。ここで、昇降機のＢＩＭパーツは、ステップＳＢ−６にて情報取得部１０２ｂの処理により受信されたＢＩＭ情報に含まれる昇降機のＢＩＭパーツである。
【０１２１】
そして、端末装置１００の強度シミュレーション部１０２ｉは、ＢＩＭモデルデータベース１０６ａに記憶されたＢＩＭモデルの建物情報と、昇降機のＢＩＭパーツとに基づいて、支持部材の強度シミュレーションを実行する（ステップＳＢ−９）。ここで、昇降機のＢＩＭパーツは、ステップＳＢ−６にて情報取得部１０２ｂの処理により受信されたＢＩＭ情報に含まれる昇降機のＢＩＭパーツである。
【０１２２】
そして、端末装置１００の選定部１０２ｆは、ＢＩＭモデルデータベース１０６ａに記憶されたＢＩＭモデルの建物情報、昇降機のＢＩＭパーツ、部品間距離、部品間干渉部位、強度シミュレーションの結果等に基づいて、支持部材を選定する（ステップＳＢ−１０）。ここで、昇降機のＢＩＭパーツは、ステップＳＢ−６にて情報取得部１０２ｂの処理により受信されたＢＩＭ情報に含まれる昇降機のＢＩＭパーツである。部品間距離は、ステップＳＢ−７にて距離算出部１０２ｇの処理により算出された部品間距離である。部品間干渉部位は、ステップＳＢ−８にて干渉検出部１０２ｈの処理により検出された部品間干渉部位である。強度シミュレーションの結果は、ステップＳＢ−９にて強度シミュレーション部１０２ｉの処理により実行された支持部材の強度シミュレーションの結果である。選定部１０２ｆは、情報提供部２０２ｉによりサーバ装置２００から送信されたパーツ情報に含まれる支持部材に関する情報から、これらの条件に合致する支持部材の設置位置、寸法、素材、個数等を選定する。
【０１２３】
そして、端末装置１００の見積部１０２ｊは、ステップＳＢ−１０にて選定部１０２ｆの処理により選定された支持部材の見積計算を行う（ステップＳＢ−１１）。見積部１０２ｊは、例えば、情報提供部２０２ｉによりサーバ装置２００から送信されたパーツ情報の支持部材に関する情報に含まれる価格、納期、在庫状況、据付時間、メーカ情報、品番型番等の情報に基づいて、支持部材の見積計算を実行する。
【０１２４】
そして、端末装置１００の必要部材シミュレーション部１０２ｋは、ＢＩＭモデルデータベース１０６ａに記憶されたＢＩＭモデルの建物情報と、昇降機のＢＩＭパーツと、支持部材の選定結果とに基づいて、ＢＩＭモデルが表す建築物側で必要とされる必要部材に関する必要部材シミュレーションを実行する（ステップＳＢ−１２）。ここで、昇降機のＢＩＭパーツは、ステップＳＢ−６にて情報取得部１０２ｂの処理により受信されたＢＩＭ情報に含まれる昇降機のＢＩＭパーツである。支持部材の選定結果は、ステップＳＢ−１０にて選定部１０２ｆの処理により選定された支持部材の選定結果である。
【０１２５】
そして、端末装置１００の画面生成部１０２ｃは、ステップＳＢ−６にて情報取得部１０２ｂの処理により受信されたＢＩＭパーツ（ＢＩＭ情報）と、ステップＳＢ−１０にて選定部１０２ｆの処理により選定された支持部材の選定結果とに基づいて、レイアウト画面を生成する（ステップＳＢ−１３）。このとき、画面生成部１０２ｃは、ステップＳＢ−１１にて見積部１０２ｊの処理により行われた支持部材の見積計算、ステップＳＢ−１２にて必要部材シミュレーション部１０２ｋの処理により実行された必要部材シミュレーションの結果を含むレイアウト画面を生成してもよい。また、画面生成部１０２ｃは、ステップＳＢ−７にて距離算出部１０２ｇの処理により算出された部品間距離、ステップＳＢ−８にて干渉検出部１０２ｈの処理により検出された部品間干渉部位、ステップＳＢ−９にて強度シミュレーション部１０２ｉの処理により実行された支持部材の強度シミュレーションの結果を含むレイアウト画面を生成してもよい。
【０１２６】
そして、端末装置１００の画面表示部１０２ｄは、ステップＳＢ−１３にて画面生成部１０２ｃの処理により生成されたレイアウト画面を表示部１１４に表示させる（ステップＳＢ−１４）。例えば、画面表示部１０２ｄは、上述した図６に例示するようなレイアウト画面を表示部１１４に表示させる。
【０１２７】
そして、端末装置１００の条件送信部１０２ａは、ステップＳＢ−１４にて画面表示部１０２ｄの処理により表示部１１４に表示された図６に例示するようなレイアウト画面を踏まえて、選定された支持部材が承認されたか否を判定する（ステップＳＢ−１５）。
【０１２８】
端末装置１００の条件送信部１０２ａは、ステップＳＢ−１５にて条件送信部１０２ａの処理により、支持部材が承認されていないと判定された場合（ステップＳＢ−１５：Ｎｏ）、処理をステップＳＢ−１に移行させ、入力部１１８等を介して利用者や設計者により入力される新たな作成条件をサーバ装置２００へ送信する。
【０１２９】
端末装置１００の発注部１０２ｅは、ステップＳＢ−１５にて条件送信部１０２ａの処理により、支持部材が承認されたと判定された場合（ステップＳＢ−１５：Ｙｅｓ）、選定され表示部１１４に表示された支持部材の発注を行い（ステップＳＢ−１６）、この処理を終了する。
【０１３０】
以上で、第２の実施形態におけるＢＩＭシステム２０の処理の一例の説明を終える。
【０１３１】
［第３の実施形態］
図１０は、第３の実施形態におけるＢＩＭ装置の構成の一例を示すブロック図、図１１は、第３の実施形態における基本処理の一例を示すフローチャートである。第３の実施形態に係るＢＩＭシステムは、機能がＢＩＭ装置に集約されている点で第１、２の実施形態とは異なる。その他、上述した実施形態と共通する構成、作用、効果については、重複した説明はできるだけ省略する。また、図１０は、第３の実施形態におけるＢＩＭ装置４００の構成のうち主として本実施形態に関係する部分を概念的に示している。ここで、第３の実施形態におけるＢＩＭシステムは、スタンドアロン型に構成され単独で処理を行うＢＩＭ装置４００により実現される。
【０１３２】
なお、第３の実施形態のＢＩＭシステムにおいては、機能をＢＩＭ装置４００に集約し、ＢＩＭ装置４００は、入力される作成条件に対応するＢＩＭパーツを、記憶部４０６に記憶されたパーツ情報を用いて作成する機能を有する。そして、ＢＩＭ装置４００は、ＢＩＭモデルに含まれる建築物に関する建物情報と、ＢＩＭパーツとに基づいて、ＢＩＭモデルが表す建築物とＢＩＭパーツが表す昇降機との間に介在する支持部材を選定する機能を有する。さらに、ＢＩＭ装置４００は、選定された支持部材の見積計算を行う機能を有する。さらに、ＢＩＭ装置４００は、ＢＩＭモデルに含まれる建築物に関する建物情報と、ＢＩＭパーツと、支持部材の選定結果とに基づいて、ＢＩＭモデルが表す建築物側で必要とされる必要部材に関する必要部材シミュレーションを実行する機能を有する。そして、ＢＩＭ装置４００は、作成したＢＩＭパーツをＢＩＭモデルに組み込んだ状態で、選定した支持部材、支持部材の見積計算に関する情報、必要部材に関する必要部材シミュレーションの結果等を表示部４１４に表示させる機能を有する。また、ＢＩＭ装置４００は、選定した支持部材に関する情報に基づいて、選定された支持部材の発注を行う機能を有する。このように、第３の実施形態は、ＢＩＭ装置４００がスタンドアロン型に構成され単独で処理を行う点がその他の実施形態と異なる。
【０１３３】
［ＢＩＭ装置４００の構成］
まず、第３の実施形態におけるＢＩＭ装置４００（スタンドアロン型）の構成の一例について、図１０を参照して以下に説明する。
【０１３４】
図１０に示すように、第３の実施形態のＢＩＭ装置４００は、出力部（表示部４１４及び音声出力部４１６）と入力部４１８と制御部４０２と記憶部４０６とを少なくとも備える。これらＢＩＭ装置４００の各部は任意の通信路を介して通信可能に接続されてもよい。ＢＩＭ装置４００は、例えば、ＰＮＤ（Ｐｏｒｔａｂｌｅ  Ｎａｖｉｇａｔｉｏｎ  Ｄｅｖｉｃｅ）等の各種情報処理端末、ノート型のパーソナルコンピュータ等の各種情報処理装置、または、携帯電話やＰＨＳやＰＤＡ等の携帯端末装置等であってもよい。また、ＢＩＭ装置４００は、通信制御インターフェース部（図示せず）を介してネットワークを経由し、外部装置と相互に通信可能に接続されていてもよい。
【０１３５】
図１０において、入出力制御インターフェース部４０８、表示部４１４、音声出力部４１６、及び、入力部４１８の各機能は、第１の実施形態等と実質的に同様であるため説明を省略する。また、記憶部４０６の各部（パーツ情報記憶手段としてのパーツ情報データベース４０６ａ、ＢＩＭモデル記憶手段としてのＢＩＭモデルデータベース４０６ｂ、及び、計算式記憶手段としての計算式ファイル４０６ｃ等）についても、端末装置１００やサーバ装置２００ではなくＢＩＭ装置４００に備えられている点を除き、各機能が第１の実施形態等と実質的に同様であるためできるだけ説明を省略する。
【０１３６】
このうち、パーツ情報データベース４０６ａは、建築物のＢＩＭモデルに組込可能な昇降機のＢＩＭパーツを作成するためのパーツ情報を記憶するパーツ情報記憶手段である。
【０１３７】
ＢＩＭモデルデータベース４０６ｂは、建築物のＢＩＭモデルを記憶するＢＩＭモデル記憶手段である。
【０１３８】
計算式ファイル４０６ｃは、昇降機に関するシミュレーション等の種々の計算を実行する際に使用する各種所定の計算式を記憶する計算式記憶手段である。
【０１３９】
また、制御部４０２の各部については、本実施形態のＢＩＭ装置４００がスタンドアロン型であり、制御部４０２が各送信部を備えていない点を除き、各機能は第１の実施形態と基本的に同様である。
【０１４０】
図１０において、制御部４０２は、ＯＳ等の制御プログラムや、各種の処理手順等を規定したプログラム、及び、所要データを格納するための内部メモリを有する。そして、制御部４０２は、これらのプログラム等により、種々の処理を実行するための情報処理を行う。制御部４０２は、機能概念的に、条件設定手段としての条件設定部４０２ａ、昇降機モデリング手段としての昇降機モデリング部４０２ｂ、選定手段としての選定部４０２ｃを備える。さらに、制御部４０２は、機能概念的に、距離算出手段としての距離算出部４０２ｄ、干渉検出手段としての干渉検出部４０２ｅ、強度シミュレーション手段としての強度シミュレーション部４０２ｆ、見積手段としての見積部４０２ｇを備える。さらに、制御部４０２は、機能概念的に、必要部材シミュレーション手段としての必要部材シミュレーション部４０２ｈ、画面生成手段としての画面生成部４０２ｉ、画面表示手段としての画面表示部４０２ｊ、発注手段としての発注部４０２ｋを備える。
【０１４１】
このうち、条件設定部４０２ａは、入力する作成条件等の種々の条件を設定する条件設定手段である。ここでは、作成条件は、利用者により入力部４１８を介して入力されたものを含んでいてもよいし、予め作成条件が記憶された外部記憶装置（図示せず）から読み込まれて入力されたものを含んでいてもよい。さらに、作成条件は、条件設定部４０２ａがＢＩＭモデルデータベース４０６ｂに格納されている建築物のＢＩＭモデル等から自動で抽出し入力されたものを含んでいてもよい。
【０１４２】
また、昇降機モデリング部４０２ｂは、条件設定部４０２ａにより設定された作成条件に対応する昇降機のＢＩＭパーツを、パーツ情報データベース４０６ａに記憶されたパーツ情報を用いて作成する昇降機モデリング手段である。
【０１４３】
選定部４０２ｃは、ＢＩＭモデルデータベース４０６ｂに記憶されたＢＩＭモデルが表す建築物と、昇降機モデリング部４０２ｂによって作成されたＢＩＭパーツが表す昇降機との間に介在する支持部材を選定する選定手段である。選定部４０２ｃは、パーツ情報データベース４０６ａに記憶されたパーツ情報に含まれる支持部材に関する情報から、使用する支持部材の設置位置、寸法、素材、個数等を選定する。
【０１４４】
距離算出部４０２ｄは、ＢＩＭモデルが表す建築物とＢＩＭパーツが表す昇降機との部品間の距離を算出する距離算出手段である。距離算出部４０２ｄは、ＢＩＭモデルデータベース４０６ｂに記憶されたＢＩＭモデルに含まれる建築物に関する建物情報と、昇降機モデリング部４０２ｂによって作成されたＢＩＭパーツとに基づいて、部品間距離を算出する。
【０１４５】
干渉検出部４０２ｅは、ＢＩＭモデルが表す建築物とＢＩＭパーツが表す昇降機との部品間の干渉部位を検出する干渉検出手段である。干渉検出部４０２ｅは、ＢＩＭモデルデータベース４０６ｂに記憶されたＢＩＭモデルに含まれる建築物に関する建物情報と、昇降機モデリング部４０２ｂによって作成されたＢＩＭパーツとに基づいて、部品間干渉部位を検出する。
【０１４６】
強度シミュレーション部４０２ｆは、ＢＩＭパーツが表す昇降機から支持部材に作用する荷重に対する当該支持部材の強度シミュレーションを実行する強度シミュレーション手段である。強度シミュレーション部４０２ｆは、ＢＩＭモデルデータベース４０６ｂに記憶されたＢＩＭモデルに含まれる建築物に関する建物情報と、昇降機モデリング部４０２ｂによって作成されたＢＩＭパーツとに基づいて、強度シミュレーションを実行する。強度シミュレーション部４０２ｆは、計算式ファイル４０６ｃに記憶された支持部材の強度シミュレーションに関する計算式を用いて、支持部材の強度シミュレーションを実行する。
【０１４７】
そして、選定部４０２ｃは、上記のようにして得られる距離算出部４０２ｄにより算出された部品間距離、干渉検出部４０２ｅにより検出された部品間干渉部位、強度シミュレーション部４０２ｆにより実行された支持部材の強度シミュレーションの結果に基づいて、支持部材を選定する。
【０１４８】
見積部４０２ｇは、選定部４０２ｃにより選定された支持部材の見積計算を行う見積手段である。見積部４０２ｇは、計算式ファイル４０６ｃに記憶された支持部材の見積計算に関する計算式を用いて、支持部材の見積計算を実行する。例えば、見積部４０２ｇは、パーツ情報データベース４０６ａに記憶されたパーツ情報の支持部材に関する情報に含まれる価格、納期、在庫状況、据付時間、メーカ情報、品番型番等の情報を取得する。そして、見積部４０２ｇは、これらの情報と計算式ファイル４０６ｃに記憶された情報に基づいて、支持部材の見積計算を実行する。
【０１４９】
必要部材シミュレーション部４０２ｈは、ＢＩＭモデルが表す建築物側で必要とされる必要部材に関する必要部材シミュレーションを実行する必要部材シミュレーション手段である。必要部材シミュレーション部４０２ｈは、ＢＩＭモデルデータベース４０６ｂに記憶されたＢＩＭモデルに含まれる建築物に関する建物情報と、昇降機モデリング部４０２ｂによって作成されたＢＩＭパーツと、選定部４０２ｃが選定した支持部材の選定結果とに基づいて、必要部材シミュレーションを実行する。必要部材シミュレーション部４０２ｈは、計算式ファイル４０６ｃに記憶された必要部材シミュレーションに関する計算式を用いて、必要部材シミュレーションを実行する。
【０１５０】
画面生成部４０２ｉは、昇降機モデリング部４０２ｂによって作成されたＢＩＭパーツと、選定部４０２ｃにより選定された支持部材の選定結果とに基づいて、表示部４１４に表示させるためのレイアウト画面を生成する画面生成手段である。本実施形態の画面生成部４０２ｉは、上記ＢＩＭパーツと、上記支持部材の選定結果とを含むレイアウト画面を生成する。
【０１５１】
画面生成部４０２ｉは、例えば、昇降機モデリング部４０２ｂにより作成された昇降機のＢＩＭパーツが表す昇降機を、ＢＩＭモデルデータベース４０６ｂに記憶された建築物のＢＩＭモデルが表す建築物に組み込んだ統合ＢＩＭモデルを作成する統合モデリング手段としても機能する。そして、画面生成部４０２ｉは、作成した統合ＢＩＭモデルを含むレイアウト画面を生成する。本実施形態の画面生成部４０２ｉは、作成した統合ＢＩＭモデルと共に、例えば、図６に示すような選定部４０２ｃにより選定された支持部材の選定結果を含むレイアウト画面を生成する。また、本実施形態の画面生成部４０２ｉは、必要に応じて、作成した統合ＢＩＭモデルと共に、図６に示すような見積部４０２ｇにより行われた見積計算に関する情報を含むレイアウト画面を生成するようにしてもよい。また、本実施形態の画面生成部４０２ｉは、必要に応じて、作成した統合ＢＩＭモデルと共に、図６に示すような必要部材シミュレーション部４０２ｈにより実行された必要部材シミュレーションの結果に関する情報を含むレイアウト画面を生成するようにしてもよい。また、本実施形態の画面生成部４０２ｉは、必要に応じて、作成した統合ＢＩＭモデルと共に、距離算出部４０２ｄにより算出された部品間距離に関する情報、干渉検出部４０２ｅにより検出された部品間干渉部位に関する情報、強度シミュレーション部４０２ｆにより実行された支持部材の強度シミュレーションの結果に関する情報を含むレイアウト画面を生成するようにしてもよい。
【０１５２】
画面表示部４０２ｊは、昇降機モデリング部４０２ｂにより作成されたＢＩＭパーツと、選定部４０２ｃにより選定された支持部材の選定結果とに基づいて、表示部４１４にレイアウト画面を表示させる画面表示手段である。本実施形態の画面表示部４０２ｊは、上記ＢＩＭパーツと、選定部４０２ｃにより選定された支持部材の選定結果とを含むレイアウト画面を表示部４１４に表示させる。
【０１５３】
ここでは、画面表示部４０２ｊは、画面生成部４０２ｉにより生成されたレイアウト画面を表示部４１４に表示させる。本実施形態の画面表示部４０２ｊは、上記３次元の統合ＢＩＭモデルと共に、例えば、図６に示すような支持部材の選定結果を含むレイアウト画面を表示部４１４に表示させる。つまり、画面表示部４０２ｊは、昇降機モデリング部４０２ｂによって作成されたＢＩＭパーツが表す昇降機を、ＢＩＭモデルデータベース４０６ｂに記憶されたＢＩＭモデルが表す建築物に組み込んだ状態で、選定部４０２ｃにより選定された支持部材の選定結果を表示部４１４に表示させる。また、画面表示部４０２ｊは、当該ＢＩＭパーツが表す昇降機を、当該ＢＩＭモデルが表す建築物に組み込んだ状態で、見積部４０２ｇにより行われた見積計算に関する情報、必要部材シミュレーション部４０２ｈにより実行された必要部材シミュレーションの結果に関する情報を表示部４１４に表示させてもよい。さらに、画面表示部４０２ｊは、当該ＢＩＭパーツが表す昇降機を、当該ＢＩＭモデルが表す建築物に組み込んだ状態で、距離算出部４０２ｄにより算出された部品間距離に関する情報、干渉検出部４０２ｅにより検出された部品間干渉部位に関する情報、強度シミュレーション部４０２ｆにより実行された支持部材の強度シミュレーションの結果に関する情報を表示部４１４に表示させてもよい。
【０１５４】
発注部４０２ｋは、選定部４０２ｃにより選定された支持部材の発注を行う発注手段である。
【０１５５】
以上で、第３の実施形態におけるＢＩＭ装置４００の構成の一例の説明を終える。
【０１５６】
［ＢＩＭ装置４００の処理］
次に、このように構成された第３の実施形態におけるＢＩＭ装置４００の処理の一例について、以下に図１１を参照して詳細に説明する。
【０１５７】
図１１に示すように、まず、条件設定部４０２ａは、入力する作成条件を設定する（ステップＳＣ−１）。
【０１５８】
そして、昇降機モデリング部４０２ｂは、ステップＳＣ−１にて条件設定部４０２ａの処理により設定された作成条件に対応する昇降機のＢＩＭパーツを、パーツ情報データベース４０６ａに記憶されたパーツ情報を用いて作成する（ステップＳＣ−２）。
【０１５９】
そして、距離算出部４０２ｄは、ＢＩＭモデルデータベース４０６ｂに記憶されたＢＩＭモデルの建物情報と、昇降機のＢＩＭパーツとに基づいて部品間距離を算出する（ステップＳＣ−３）。ここで、昇降機のＢＩＭパーツは、ステップＳＣ−２にて昇降機モデリング部４０２ｂによって作成された昇降機のＢＩＭパーツである。
【０１６０】
そして、干渉検出部４０２ｅは、ＢＩＭモデルデータベース４０６ｂに記憶されたＢＩＭモデルの建物情報と、昇降機のＢＩＭパーツとに基づいて部品間干渉部位を検出する（ステップＳＣ−４）。ここで、昇降機のＢＩＭパーツは、ステップＳＣ−２にて昇降機モデリング部４０２ｂによって作成された昇降機のＢＩＭパーツである。
【０１６１】
そして、強度シミュレーション部４０２ｆは、ＢＩＭモデルデータベース４０６ｂに記憶されたＢＩＭモデルの建物情報と、昇降機のＢＩＭパーツとに基づいて、支持部材の強度シミュレーションを実行する（ステップＳＣ−５）。ここで、昇降機のＢＩＭパーツは、ステップＳＣ−２にて昇降機モデリング部４０２ｂによって作成された昇降機のＢＩＭパーツである。
【０１６２】
そして、選定部４０２ｃは、ＢＩＭモデルデータベース４０６ｂに記憶されたＢＩＭモデルの建物情報、昇降機のＢＩＭパーツ、部品間距離、部品間干渉部位、強度シミュレーションの結果等に基づいて、支持部材を選定する（ステップＳＣ−６）。ここで、昇降機のＢＩＭパーツは、ステップＳＣ−２にて昇降機モデリング部４０２ｂによって作成された昇降機のＢＩＭパーツである。部品間距離は、ステップＳＣ−３にて距離算出部４０２ｄの処理により算出された部品間距離である。部品間干渉部位は、ステップＳＣ−４にて干渉検出部４０２ｅの処理により検出された部品間干渉部位である。強度シミュレーションの結果は、ステップＳＣ−５にて強度シミュレーション部４０２ｆの処理により実行された支持部材の強度シミュレーションの結果である。選定部４０２ｃは、パーツ情報データベース４０６ａに記憶されたパーツ情報に含まれる支持部材に関する情報から、これらの条件に合致する支持部材の設置位置、寸法、素材、個数等を選定する。
【０１６３】
そして、見積部４０２ｇは、ステップＳＣ−６にて選定部４０２ｃの処理により選定された支持部材の見積計算を行う（ステップＳＣ−７）。見積部４０２ｇは、例えば、パーツ情報データベース４０６ａに記憶されたパーツ情報の支持部材に関する情報に含まれる価格、納期、在庫状況、据付時間、メーカ情報、品番型番等の情報に基づいて、支持部材の見積計算を実行する。
【０１６４】
そして、必要部材シミュレーション部４０２ｈは、ＢＩＭモデルデータベース４０６ｂに記憶されたＢＩＭモデルの建物情報と、昇降機のＢＩＭパーツと、支持部材の選定結果とに基づいて、ＢＩＭモデルが表す建築物側で必要とされる必要部材に関する必要部材シミュレーションを実行する（ステップＳＣ−８）。ここで、昇降機のＢＩＭパーツは、ステップＳＣ−２にて昇降機モデリング部４０２ｂによって作成された昇降機のＢＩＭパーツである。支持部材の選定結果は、ステップＳＣ−６にて選定部４０２ｃの処理により選定された支持部材の選定結果である。
【０１６５】
そして、画面生成部４０２ｉは、ステップＳＣ−２にて昇降機モデリング部４０２ｂによって作成されたＢＩＭパーツと、ステップＳＣ−６にて選定部４０２ｃの処理により選定された支持部材の選定結果とに基づいて、レイアウト画面を生成する（ステップＳＣ−９）。このとき、画面生成部４０２ｉは、ステップＳＣ−７にて見積部４０２ｇの処理により行われた支持部材の見積計算、ステップＳＣ−８にて必要部材シミュレーション部４０２ｈの処理により実行された必要部材シミュレーションの結果を含むレイアウト画面を生成してもよい。また、画面生成部４０２ｉは、ステップＳＣ−３にて距離算出部４０２ｄの処理により算出された部品間距離、ステップＳＣ−４にて干渉検出部４０２ｅの処理により検出された部品間干渉部位、ステップＳＣ−５にて強度シミュレーション部４０２ｆの処理により実行された支持部材の強度シミュレーションの結果を含むレイアウト画面を生成してもよい。
【０１６６】
そして、画面表示部４０２ｊは、ステップＳＣ−９にて画面生成部４０２ｉの処理により生成されたレイアウト画面を表示部４１４に表示させる（ステップＳＣ−１０）。例えば、画面表示部４０２ｊは、上述した図６に例示するようなレイアウト画面を表示部４１４に表示させる。
【０１６７】
そして、条件設定部４０２ａは、ステップＳＣ−１０にて画面表示部４０２ｊの処理により表示部４１４に表示された図６に例示するようなレイアウト画面を踏まえて、選定された支持部材が承認されたか否を判定する（ステップＳＣ−１１）。
【０１６８】
条件設定部４０２ａは、ステップＳＣ−１１にて条件設定部４０２ａの処理により、支持部材が承認されていないと判定された場合（ステップＳＣ−１１：Ｎｏ）、処理をステップＳＣ−１に移行させ、入力部４１８等を介して利用者や設計者により入力される新たな作成条件を設定する。
【０１６９】
発注部４０２ｋは、ステップＳＣ−１１にて条件設定部４０２ａの処理により、支持部材が承認されたと判定された場合（ステップＳＣ−１１：Ｙｅｓ）、選定され表示部４１４に表示された支持部材の発注を行い（ステップＳＣ−１２）、この処理を終了する。
【０１７０】
以上で、第３の実施形態におけるＢＩＭ装置４００の処理の一例の説明を終える。
【０１７１】
このように、上述した第１〜第３の実施形態によれば、利用者により入力される作成条件に対応する昇降機のＢＩＭパーツを、パーツ情報を用いて作成する。そして、第１〜第３の実施形態によれば、例えば、作成されたＢＩＭパーツを建築物のＢＩＭモデルに組み込んだ統合ＢＩＭモデルを含むレイアウト画面を生成し、生成されたレイアウト画面を表示させる。よって、第１〜第３の実施形態によれば、利用者が昇降機の設備計画を提案する際、建築物に昇降機を組み込んだ状態を視覚的に分かりやすく表示することができる。また、利用者は、昇降機を設置する建築物の設計段階から施工、竣工後、リニューアル（改修）時等の全体を通したシミュレーションを行うことができる。これにより、利用者は、昇降機を設置する建築物の設計において、全体的な管理及び確認を行えるので、客先の要望をより良く反映した提案が容易となる。その結果、本実施形態によれば、利用者は、打合せ時間の短縮ができ、不具合発生率の低減もでき、更に、製作時等のコストを抑制することができる。
【０１７２】
［他の実施の形態］
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【０１７３】
例えば、上述の実施形態は、昇降機としてエレベータを例にあげて説明したが、エスカレータ、動く歩道等の乗客コンベアについても同様に適用できる。
【０１７４】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１７５】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０１７６】
また、端末装置１００、サーバ装置２００、及び、ＢＩＭ装置４００に関して、図示の各構成要素は機能概念的なものであり、必ずしも物理的に図示の如く構成されていることを要しない。
【０１７７】
例えば、端末装置１００、サーバ装置２００、及び、ＢＩＭ装置４００の各装置が備える処理機能、特に制御部１０２、制御部２０２、及び、制御部４０２にて行われる各処理機能については、その全部または任意の一部を、ＣＰＵ（Ｃｅｎｔｒａｌ  Ｐｒｏｃｅｓｓｉｎｇ  Ｕｎｉｔ）及び当該ＣＰＵにて解釈実行されるプログラムにて実現してもよく、また、ワイヤードロジックによるハードウェアとして実現してもよい。尚、プログラムは、後述する記録媒体に記録されており、必要に応じて端末装置１００、サーバ装置２００、及び、ＢＩＭ装置４００に機械的に読み取られる。すなわち、ＲＯＭまたはＨＤＤなどの記憶部１０６、記憶部２０６、及び、記憶部４０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１７８】
また、このコンピュータプログラムは、端末装置１００、サーバ装置２００、及び、ＢＩＭ装置４００に対して任意のネットワーク３００を介して接続されたアプリケーションプログラムサーバに記憶されていてもよく、必要に応じてその全部または一部をダウンロードすることも可能である。
【０１７９】
また、プログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、及び、Ｂｌｕ−ｒａｙ  Ｄｉｓｃ等の任意の「可搬用の物理媒体」を含むものとする。
【０１８０】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１８１】
記憶部１０６、記憶部２０６、及び、記憶部４０６に格納される各種のデータベース等（ＢＩＭモデルデータベース１０６ａ、計算式ファイル１０６ｂ、パーツ情報データベース２０６ａ、計算式ファイル２０６ｂ、パーツ情報データベース４０６ａ、ＢＩＭモデルデータベース４０６ｂ、及び、計算式ファイル４０６ｃ）は、ＲＡＭ、ＲＯＭ等のメモリ装置、ハードディスク等の固定ディスク装置、フレキシブルディスク、及び、光ディスク等のストレージ手段であり、各種処理やウェブサイト提供に用いる各種のプログラム、テーブル、データベース、及び、ウェブページ用ファイル等を格納する。
【０１８２】
また、端末装置１００、サーバ装置２００、及び、ＢＩＭ装置４００は、既知のパーソナルコンピュータ、ワークステーション等の情報処理装置として構成してもよく、また、該情報処理装置に任意の周辺装置を接続して構成してもよい。また、端末装置１００、サーバ装置２００、及び、ＢＩＭ装置４００は、該情報処理装置に本実施形態の方法を実現させるソフトウェア（プログラム、データ等を含む）を実装することにより実現してもよい。
【０１８３】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【０１８４】
以上で説明した実施形態、変形例に係るＢＩＭシステム、サーバ装置、端末装置、方法及びプログラムによれば、昇降機の設備計画を提案する際、提案する昇降機を視覚的に分かりやすく表示することができる。
【０１８５】
［付記］
実施形態に係るサーバ装置は、表示部を少なくとも備えた端末装置に通信可能に接続された、制御部と記憶部とを少なくとも備えたサーバ装置であって、前記記憶部は、建築物のＢＩＭモデルに組込可能な昇降機のＢＩＭパーツを作成するためのパーツ情報を記憶するパーツ情報記憶手段、を備え、前記制御部は、前記端末装置から送信される作成条件に対応する前記ＢＩＭパーツを、前記パーツ情報記憶手段に記憶された前記パーツ情報を用いて作成する昇降機モデリング手段と、前記ＢＩＭモデルに含まれる建築物に関する建物情報と、前記昇降機モデリング手段が作成した前記ＢＩＭパーツとに基づいて、前記ＢＩＭモデルが表す建築物と前記ＢＩＭパーツが表す昇降機との間に介在する支持部材を選定する選定手段と、前記昇降機モデリング手段により作成された前記ＢＩＭパーツと、前記選定手段により選定された前記支持部材の選定結果とを前記端末装置へ送信する情報提供手段と、を備え、前記端末装置において、前記サーバ装置から送信された前記ＢＩＭパーツが表す昇降機を前記ＢＩＭモデルが表す建築物に組み込んだ状態で、前記サーバ装置から送信された前記支持部材の選定結果を前記表示部に表示させることを特徴とする。
【０１８６】
実施形態に係るＢＩＭシステムは、制御部と記憶部とを少なくとも備えたサーバ装置、及び、制御部と表示部とを少なくとも備えた端末装置、を通信可能に接続したＢＩＭシステムであって、前記サーバ装置の前記記憶部は、建築物のＢＩＭモデルに組込可能な昇降機のＢＩＭパーツを作成するためのパーツ情報を記憶するパーツ情報記憶手段、を備え、前記サーバ装置の前記制御部は、前記端末装置から送信される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを前記端末装置へ送信する情報提供手段と、を備え、前記端末装置の前記制御部は、前記ＢＩＭモデルに含まれる建築物に関する建物情報と、前記情報提供手段により前記サーバ装置から送信された前記ＢＩＭパーツとに基づいて、前記ＢＩＭモデルが表す建築物と前記ＢＩＭパーツが表す昇降機との間に介在する支持部材を選定する選定手段と、前記情報提供手段により前記サーバ装置から送信された前記ＢＩＭパーツが表す昇降機を前記ＢＩＭモデルが表す建築物に組み込んだ状態で、前記選定手段により選定された前記支持部材の選定結果を前記表示部に表示させる画面表示手段と、を備えることを特徴とする。
【０１８７】
実施形態に係るサーバ装置は、表示部を少なくとも備えた端末装置に通信可能に接続された、制御部と記憶部とを少なくとも備えたサーバ装置であって、前記記憶部は、建築物のＢＩＭモデルに組込可能な昇降機のＢＩＭパーツを作成するためのパーツ情報を記憶するパーツ情報記憶手段、を備え、前記制御部は、前記端末装置から送信される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを前記端末装置へ送信する情報提供手段と、を備え、前記端末装置において、前記ＢＩＭモデルに含まれる建築物に関する建物情報と、前記情報提供手段により前記サーバ装置から送信された前記ＢＩＭパーツとに基づいて、前記ＢＩＭモデルが表す建築物と前記ＢＩＭパーツが表す昇降機との間に介在する支持部材を選定させ、前記情報提供手段により前記サーバ装置から送信された前記ＢＩＭパーツが表す昇降機を前記ＢＩＭモデルが表す建築物に組み込んだ状態で、前記支持部材の選定結果を前記表示部に表示させることを特徴とする。
【０１８８】
実施形態に係る端末装置は、サーバ装置に通信可能に接続された、制御部と表示部とを少なくとも備えた端末装置であって、前記制御部は、ＢＩＭモデルに含まれる建築物に関する建物情報と、作成条件に対応して前記サーバ装置で作成され当該サーバ装置から送信された、前記ＢＩＭモデルに組込可能な昇降機のＢＩＭパーツとに基づいて、前記ＢＩＭモデルが表す建築物と前記ＢＩＭパーツが表す昇降機との間に介在する支持部材を選定する選定手段と、前記サーバ装置から送信された前記ＢＩＭパーツが表す昇降機を、前記ＢＩＭモデルが表す建築物に組み込んだ状態で、前記選定手段により選定された前記支持部材の選定結果を前記表示部に表示させる画面表示手段と、を備えることを特徴とする。
【０１８９】
実施形態に係る方法は、制御部と記憶部とを少なくとも備えたサーバ装置、及び、制御部と表示部とを少なくとも備えた端末装置、を通信可能に接続したＢＩＭシステムにおいて実行される方法であって、前記サーバ装置の前記記憶部は、建築物のＢＩＭモデルに組込可能な昇降機のＢＩＭパーツを作成するためのパーツ情報を記憶するパーツ情報記憶手段、を備え、前記サーバ装置の前記制御部において実行される、前記端末装置から送信される作成条件に対応する前記ＢＩＭパーツを、前記パーツ情報記憶手段に記憶された前記パーツ情報を用いて作成する昇降機モデリングステップと、前記サーバ装置の前記制御部において実行される、前記ＢＩＭモデルに含まれる建築物に関する建物情報と、前記昇降機モデリングステップにて作成された前記ＢＩＭパーツとに基づいて、前記ＢＩＭモデルが表す建築物と前記ＢＩＭパーツが表す昇降機との間に介在する支持部材を選定する選定ステップと、前記サーバ装置の前記制御部において実行される、前記昇降機モデリングステップにて作成された前記ＢＩＭパーツと、前記選定ステップにて選定された前記支持部材の選定結果とを前記端末装置へ送信する情報提供ステップと、前記端末装置の前記制御部において実行される、前記情報提供ステップにて前記サーバ装置から送信された前記ＢＩＭパーツが表す昇降機を前記ＢＩＭモデルが表す建築物に組み込んだ状態で、前記情報提供ステップにて前記サーバ装置から送信された前記支持部材の選定結果を前記表示部に表示させる画面表示ステップと、を含むことを特徴とする。
【０１９０】
実施形態に係る方法は、表示部を少なくとも備えた端末装置に通信可能に接続された、制御部と記憶部とを少なくとも備えたサーバ装置において実行される方法であって、前記記憶部は、建築物のＢＩＭモデルに組込可能な昇降機のＢＩＭパーツを作成するためのパーツ情報を記憶するパーツ情報記憶手段、を備え、前記制御部において実行される、前記端末装置から送信される作成条件に対応する前記ＢＩＭパーツを、前記パーツ情報記憶手段に記憶された前記パーツ情報を用いて作成する昇降機モデリングステップと、前記ＢＩＭモデルに含まれる建築物に関する建物情報と、前記昇降機モデリングステップにて作成された前記ＢＩＭパーツとに基づいて、前記ＢＩＭモデルが表す建築物と前記ＢＩＭパーツが表す昇降機との間に介在する支持部材を選定する選定ステップと、前記昇降機モデリングステップにて作成された前記ＢＩＭパーツと、前記選定ステップにて選定された前記支持部材の選定結果とを前記端末装置へ送信する情報提供ステップと、を含み、前記端末装置において、前記サーバ装置から送信された前記ＢＩＭパーツが表す昇降機を前記ＢＩＭモデルが表す建築物に組み込んだ状態で、前記サーバ装置から送信された前記支持部材の選定結果を前記表示部に表示させることを特徴とする。
【０１９１】
実施形態に係る方法は、制御部と記憶部とを少なくとも備えたサーバ装置、及び、制御部と表示部とを少なくとも備えた端末装置、を通信可能に接続したＢＩＭシステムにおいて実行される方法であって、前記サーバ装置の前記記憶部は、建築物のＢＩＭモデルに組込可能な昇降機のＢＩＭパーツを作成するためのパーツ情報を記憶するパーツ情報記憶手段、を備え、前記サーバ装置の前記制御部において実行される、前記端末装置から送信される作成条件に対応する前記ＢＩＭパーツを、前記パーツ情報記憶手段に記憶された前記パーツ情報を用いて作成する昇降機モデリングステップと、前記サーバ装置の前記制御部において実行される、前記昇降機モデリングステップにて作成された前記ＢＩＭパーツを前記端末装置へ送信する情報提供ステップと、前記端末装置の前記制御部において実行される、前記ＢＩＭモデルに含まれる建築物に関する建物情報と、前記情報提供ステップにて前記サーバ装置から送信された前記ＢＩＭパーツとに基づいて、前記ＢＩＭモデルが表す建築物と前記ＢＩＭパーツが表す昇降機との間に介在する支持部材を選定する選定ステップと、前記端末装置の前記制御部において実行される、前記情報提供ステップにて前記サーバ装置から送信された前記ＢＩＭパーツが表す昇降機を前記ＢＩＭモデルが表す建築物に組み込んだ状態で、前記選定ステップにて選定された前記支持部材の選定結果を前記表示部に表示させる画面表示ステップと、を含むことを特徴とする。
【０１９２】
実施形態に係る方法は、表示部を少なくとも備えた端末装置に通信可能に接続された、制御部と記憶部とを少なくとも備えたサーバ装置において実行される方法であって、前記記憶部は、建築物のＢＩＭモデルに組込可能な昇降機のＢＩＭパーツを作成するためのパーツ情報を記憶するパーツ情報記憶手段、を備え、前記制御部において実行される、前記端末装置から送信される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを前記端末装置へ送信する情報提供ステップと、を含み、前記端末装置において、前記ＢＩＭモデルに含まれる建築物に関する建物情報と、前記情報提供ステップにて前記サーバ装置から送信された前記ＢＩＭパーツとに基づいて、前記ＢＩＭモデルが表す建築物と前記ＢＩＭパーツが表す昇降機との間に介在する支持部材を選定させ、前記情報提供ステップにて前記サーバ装置から送信された前記ＢＩＭパーツが表す昇降機を前記ＢＩＭモデルが表す建築物に組み込んだ状態で、前記支持部材の選定結果を前記表示部に表示させることを特徴とする。
【０１９３】
実施形態に係る方法は、サーバ装置に通信可能に接続された、制御部と表示部とを少なくとも備えた端末装置において実行される方法であって、前記制御部において実行される、ＢＩＭモデルに含まれる建築物に関する建物情報と、作成条件に対応して前記サーバ装置で作成され当該サーバ装置から送信された、前記ＢＩＭモデルに組込可能な昇降機のＢＩＭパーツとに基づいて、前記ＢＩＭモデルが表す建築物と前記ＢＩＭパーツが表す昇降機との間に介在する支持部材を選定する選定ステップと、前記サーバ装置から送信された前記ＢＩＭパーツが表す昇降機を前記ＢＩＭモデルが表す建築物に組み込んだ状態で、前記選定ステップにて選定された前記支持部材の選定結果を前記表示部に表示させる画面表示ステップと、を含むことを特徴とする。
【０１９４】
実施形態に係るプログラムは、表示部を少なくとも備えた端末装置に通信可能に接続された、制御部と記憶部とを少なくとも備えたサーバ装置に実行させるためのプログラムであって、前記記憶部は、建築物のＢＩＭモデルに組込可能な昇降機のＢＩＭパーツを作成するためのパーツ情報を記憶するパーツ情報記憶手段、を備え、前記制御部において、前記端末装置から送信される作成条件に対応する前記ＢＩＭパーツを、前記パーツ情報記憶手段に記憶された前記パーツ情報を用いて作成する昇降機モデリングステップと、前記ＢＩＭモデルに含まれる建築物に関する建物情報と、前記昇降機モデリングステップにて作成された前記ＢＩＭパーツとに基づいて、前記ＢＩＭモデルが表す建築物と前記ＢＩＭパーツが表す昇降機との間に介在する支持部材を選定する選定ステップと、前記昇降機モデリングステップにて作成された前記ＢＩＭパーツと、前記選定ステップにて選定された前記支持部材の選定結果とを前記端末装置へ送信する情報提供ステップと、を実行させ、前記端末装置において、前記サーバ装置から送信された前記ＢＩＭパーツが表す昇降機を前記ＢＩＭモデルが表す建築物に組み込んだ状態で、前記サーバ装置から送信された前記支持部材の選定結果を前記表示部に表示させることを特徴とする。
【０１９５】
実施形態に係るプログラムは、表示部を少なくとも備えた端末装置に通信可能に接続された、制御部と記憶部とを少なくとも備えたサーバ装置に実行させるためのプログラムであって、前記記憶部は、建築物のＢＩＭモデルに組込可能な昇降機のＢＩＭパーツを作成するためのパーツ情報を記憶するパーツ情報記憶手段、を備え、前記制御部において、前記端末装置から送信される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを前記端末装置へ送信する情報提供ステップと、を実行させ、前記端末装置において、前記ＢＩＭモデルに含まれる建築物に関する建物情報と、前記情報提供ステップにて前記サーバ装置から送信された前記ＢＩＭパーツとに基づいて、前記ＢＩＭモデルが表す建築物と前記ＢＩＭパーツが表す昇降機との間に介在する支持部材を選定させ、前記情報提供ステップにて前記サーバ装置から送信された前記ＢＩＭパーツが表す昇降機を前記ＢＩＭモデルが表す建築物に組み込んだ状態で、前記支持部材の選定結果を前記表示部に表示させることを特徴とする。
【０１９６】
実施形態に係るプログラムは、サーバ装置に通信可能に接続された、制御部と表示部とを少なくとも備えた端末装置に実行させるためのプログラムであって、前記制御部において、ＢＩＭモデルに含まれる建築物に関する建物情報と、作成条件に対応して前記サーバ装置で作成され当該サーバ装置から送信された、前記ＢＩＭモデルに組込可能な昇降機のＢＩＭパーツとに基づいて、前記ＢＩＭモデルが表す建築物と前記ＢＩＭパーツが表す昇降機との間に介在する支持部材を選定する選定ステップと、前記サーバ装置から送信された前記ＢＩＭパーツが表す昇降機を前記ＢＩＭモデルが表す建築物に組み込んだ状態で、前記選定ステップにて選定された前記支持部材の選定結果を前記表示部に表示させる画面表示ステップと、を実行させることを特徴とする。
【符号の説明】
【０１９７】
１０、２０    ＢＩＭシステム
１００  端末装置
１０２  制御部
１０２ａ  条件送信部
１０２ｂ  情報取得部
１０２ｃ  画面生成部
１０２ｄ  画面表示部
１０２ｅ  発注部
１０２ｆ  選定部
１０２ｇ  距離算出部
１０２ｈ  干渉検出部
１０２ｉ  強度シミュレーション部
１０２ｊ  見積部
１０２ｋ  必要部材シミュレーション部
１０４  通信制御インターフェース部
１０６  記憶部
１０６ａ  ＢＩＭモデルデータベース
１０６ｂ  計算式ファイル
１０８  入出力制御インターフェース部
１１４  表示部
１１６  音声出力部
１１８  入力部
２００  サーバ装置
２０２  制御部
２０２ａ  条件受信部
２０２ｂ  昇降機モデリング部
２０２ｃ  選定部
２０２ｄ  距離算出部
２０２ｅ  干渉検出部
２０２ｆ  強度シミュレーション部
２０２ｇ  見積部
２０２ｈ  必要部材シミュレーション部
２０２ｉ  情報提供部
２０４  通信制御インターフェース部
２０６  記憶部
２０６ａ  パーツ情報データベース
２０６ｂ  計算式ファイル
３００  ネットワーク
４００  ＢＩＭ装置（ＢＩＭシステム）
４０２  制御部
４０２ａ  条件設定部
４０２ｂ  昇降機モデリング部
４０２ｃ  選定部
４０２ｄ  距離算出部
４０２ｅ  干渉検出部
４０２ｆ  強度シミュレーション部
４０２ｇ  見積部
４０２ｈ  必要部材シミュレーション部
４０２ｉ  画面生成部
４０２ｊ  画面表示部
４０２ｋ  発注部
４０６  記憶部
４０６ａ  パーツ情報データベース
４０６ｂ  ＢＩＭモデルデータベース
４０６ｃ  計算式ファイル
４０８  入出力制御インターフェース部
４１４  表示部
４１６  音声出力部
４１８  入力部
【要約】
【課題】昇降機の設備計画を提案する際、提案する昇降機を組み込んだ状態を視覚的に分かりやすく表示できるＢＩＭシステム、方法及びプログラムを提供することを課題とする。
【解決手段】実施形態のＢＩＭシステムは、制御部と記憶部と表示部とを少なくとも備える。前記記憶部は、ＢＩＭモデル、パーツ情報を記憶する。前記制御部は、入力される作成条件に対応するＢＩＭパーツを、前記パーツ情報を用いて作成する。前記制御部は、前記ＢＩＭモデルに含まれる建物情報と、作成した前記ＢＩＭパーツとに基づいて、前記ＢＩＭモデルが表す建築物と前記ＢＩＭパーツが表す昇降機との間に介在する支持部材を選定し当該支持部材の選定結果を前記表示部に表示させる。
【選択図】図２【図１】
0005489307.tif 000002
【図２】
0005489307.tif 000003
【図３】
0005489307.tif 000004
【図４】
0005489307.tif 000005
【図５】
0005489307.tif 000006
【図６】
0005489307.tif 000007
【図７】
0005489307.tif 000008
【図８】
0005489307.tif 000009
【図９】
0005489307.tif 000010
【図１０】
0005489307.tif 000011
【図１１】
0005489307.tif 000012